(57)【要約】【課題】撮像機器間で安全にかつ容易に画像の交換を行えるようにすること。【解決手段】撮像機器間で無線による画像の送受信を行うことが可能な撮像システムにおける上記撮像機器は、上記画像の送受信を行う発光素子２４及び受光素子２６と、上記画像を受信する側の撮像機器が、上記画像を送信する側の撮像機器の認証を行うための認証情報を表示するモニタ４０と、上記画像を受信する側の撮像機器の上記モニタで表示された上記認証情報を撮像するレンズ部１４及び撮像素子７０と、上記撮像された上記認証情報を用いて、上記画像を受信する側の撮像機器に対して送信する画像の加工を行う情報加工部８０Ｂと、上記画像を送信する側の撮像機器から送信された画像を元の画像に復元する主制御部８０と、を備える。【選択図】図４
2008269486.tif 000002
【特許請求の範囲】
【請求項１】
撮像機器間で無線による画像の送受信を行うことが可能な撮像システムにおける上記撮像機器であって、
上記画像の送受信を行う画像送受信手段と、
上記画像を受信する側の撮像機器が上記画像を送信する側の撮像機器の認証を行うための認証情報を表示する認証情報表示手段と、
上記画像を受信する側の撮像機器の上記認証情報表示手段で表示された上記認証情報を撮像する撮像手段と、
上記撮像手段で撮像された上記認証情報を用いて、上記画像を受信する側の撮像機器に対して送信する画像の加工を行う加工手段と、
上記画像を送信する側の撮像機器から送信された画像を元の画像に復元する復元手段と、
を具備することを特徴とする撮像機器。
【請求項２】
上記認証情報表示手段は、上記撮像機器の画像表示手段であることを特徴とする請求項１に記載の撮像機器。
【請求項３】
上記認証情報表示手段は、上記撮像機器の発光手段であることを特徴とする請求項１に記載の撮像機器。
【請求項４】
上記認証情報表示手段は、上記画像表示手段の表示領域を複数に分割し、上記複数に分割された領域内は同じ色情報を表示することを特徴とする請求項２に記載の撮像機器。
【請求項５】
上記認証情報は、縞模様のコード化された色情報であることを特徴とする請求項４に記載の撮像機器。
【請求項６】
上記認証情報は、マトリックス模様のコード化された色情報であることを特徴とする請求項４に記載の撮像機器。
【請求項７】
上記認証情報は、自身の属性に関する情報を含むことを特徴とする請求項１に記載の撮像機器。
【請求項８】
上記認証情報は、自身の無線通信に関する属性情報を含むことを特徴とする請求項７に記載の撮像機器。
【請求項９】
上記認証情報は、当該撮像機器の使用者の個人情報を含むことを特徴とする請求項７に記載の撮像機器。
【請求項１０】
上記認証情報表示手段は、上記画像表示手段の一部に、上記認証情報を表示した撮像機器が判別できる情報を表示する手段を有することを特徴とする請求項２に記載の撮像機器。
【請求項１１】
上記画像送受信手段は、電波或いは光を用いた通信手段であることを特徴とする請求項１に記載の撮像機器。
【請求項１２】
上記加工手段は、上記認証情報を暗号キーとして用いることを特徴とする請求項１に記載の撮像機器。
【請求項１３】
上記加工手段は、上記認証情報を公開鍵として用いることを特徴とする請求項１に記載の撮像機器。
【請求項１４】
上記認証情報は、上記認証情報表示手段に表示するより以前に、当該撮像機器により撮影された画像を含むことを特徴とする請求項１に記載の撮像機器。
【請求項１５】
上記認証情報は、上記認証情報表示手段に表示する際に、連続した複数の静止画として表示されることを特徴とする請求項１に記載の撮像機器。
【請求項１６】
上記撮像機器は、上記認証情報を撮像する際に、動画撮影状態で撮像することを特徴とする請求項１に記載の撮像機器。
【請求項１７】
上記画像を受信する側の撮像機器である第１の撮像機器が表示した認証情報を、上記画像を送信する側の撮像機器である第２の撮像機器が撮像した後、当該撮像した認証情報を上記第２の撮像機器の認証情報表示手段に表示し、上記第１の撮像機器の撮像手段で撮像して、上記第１の撮像機器が表示した認証情報と撮像した認証情報とが一致した時には、上記第１の撮像機器と上記第２の撮像機器で共有の認証情報として用いることを特徴とする請求項１に記載の撮像機器。
【請求項１８】
上記画像を受信する側の撮像機器である第１の撮像機器は、上記認証情報を複数有し、上記画像を送信する側の撮像機器である第２の少なくとも２台の撮像機器に対して異なった認証情報を表示することを特徴とする請求項１に記載の撮像機器。
【請求項１９】
上記第２の撮像機器は、上記第１の撮像機器より取得した認証情報を用いて画像を加工したのち上記第１の撮像機器に画像を送信し、
上記第１の撮像機器は上記複数の第２の撮像機器より受信した画像を画像表示手段に表示することを特徴とする請求項１８に記載の撮像機器。
【請求項２０】
上記第１の撮像機器は、上記複数の第２の撮像機器より受信した画像を、上記第１の撮像機器の画像表示手段とは別の表示手段に表示することを特徴とする請求項１８に記載の撮像機器。
【請求項２１】
上記画像を送信する側の撮像機器である第２の撮像機器は、上記画像を受信する側の撮像機器である第１の少なくとも２台以上の撮像機器が表示する認証情報を撮像して記憶する手段を更に具備することを特徴とする請求項１に記載の撮像機器。
【請求項２２】
上記第２の撮像機器は、上記第１の少なくとも２台以上の撮像機器が表示した認証情報を取得し、上記取得した認証情報を用いて画像を加工して上記第１の撮像機器に送信することを特徴とする請求項２１に記載の撮像機器。
【請求項２３】
少なくとも３台以上の撮像機器間で、上記認証情報を交換したのち、取得した認証情報を用いて画像の加工を行うことを特徴とする請求項１に記載の撮像機器。
【請求項２４】
上記認証情報は、有効期限を持ち、期限が過ぎると無効とすることを特徴とする請求項１に記載の撮像機器。
【請求項２５】
相手機器から取得した認証情報を自身のモニタに表示して、指定することにより相手機器に画像を送信できることを特徴とする請求項１、１９、２２、又は２３に記載の撮像機器。
【請求項２６】
上記相手機器から取得した認証情報を自身のモニタに複数表示して選択することで相手機器に画像を送信できることを特徴とする請求項２５に記載の撮像機器。
【請求項２７】
上記画像表示手段は、上記認証情報の表示時には出力を上げることを特徴とする請求項２に記載の撮像機器。
【請求項２８】
撮像機器間で無線による画像の送受信を行うことが可能な撮像システムにおける上記撮像機器のための認証方法であって、
上記画像を受信する側の撮像機器が上記画像を送信する側の撮像機器の認証を行うための認証情報を表示するステップと、
上記画像を受信する側の撮像機器で表示された上記認証情報を、上記画像を送信する側の撮像機器で撮像するステップと、
上記撮像された上記認証情報を用いて、上記画像を送信する側の撮像機器が、上記画像を受信する側の撮像機器に対して送信する画像の加工を行うステップと、
上記画像を送信する側の撮像機器から送信された画像を、上記画像を受信する側の撮像機器で元の画像に復元するステップと、
を具備することを特徴とする認証方法。
【発明の詳細な説明】
【技術分野】
【０００１】
本発明は、撮像機器間で安全にかつ容易に画像の交換を行うことができる撮像機器、及びその撮像機器の認証方法に関する。
【背景技術】
【０００２】
近年、デジタルカメラの進歩は目覚しく、撮影した画像はデジタル情報としてカメラ内のメモリに記録されるとともに、カメラに付属する通信機能を用いて他のデジタル機器、例えばパーソナルコンピュータ、プリンタ、テレビジョン、あるいはインターネットを介して画像サーバやプリントサービスステーションなどに送ることが出来るようになった。また、デジタルカメラならびにデジタルカメラ機能を持った携帯電話や情報端末の普及率も向上してきた。今日では、多くの人が通信機能を持ったデジタルカメラを携帯している状況である。
【０００３】
こうした日常の中で、自分のカメラで撮影した画像以外の、他のカメラで撮影した画像を簡単に自分のカメラに取込みたいという場面が増えてきた。具体的には、友人との旅行やパーティ等で他の人が撮った画像を自分のカメラに送信して貰うケースである。例えば、旅行先で友人が取った美しい景色や相手のカメラで撮って貰った自分の写真、あるいは自分のカメラより高性能のカメラを持っている人の写真を転送して貰う場合のような１対１の画像交換、写真教室で先生が取ったお手本の写真を生徒に配信するような１対Ｎの画像送信、複数の人が撮影した画像を一箇所に集めてスクリーンに映して楽しむようなＮ対１のケース、パーティや団体旅行などで各自が撮った写真をその場で交換するようなＮ対Ｎのケースである。
【０００４】
従前よりカメラの通信機能や表示及び撮像機能を使って画像の転送や交換を行う方法がいくつも提案されている。
【０００５】
例えば、特許文献１には、次のような方法が提案されている。即ち、相手機器は、当該相手機器に対してデジタルカメラが通信を行なう許可を得るためのバーコード情報を画像表示部に表示し、デジタルカメラは相手機器の画像表示部に表示されたバーコード情報を撮像素子によって取得し、取得されたバーコード情報は、情報認識部により解析され、最終的に数値または文字情報として認識される。認識された情報は、相手機器に対するデータの送受信を行なう許可を得るための認証パスワードとして通信部から相手機器の通信部に送信され、相手機器の認証部はデジタルカメラの通信部から送信された情報を用いて認証を行う。
【０００６】
また、特許文献２では、ＬＣＤなどの表示装置を持つデジタルカメラを、所定のケーブル又は赤外線を用いて、複数台の記録または再生装置と同時に接続し、デジタルカメラは、所定の通信プロトコルを用いて、接続している機器群から画像データを受信し、機器毎に別々の画像メモリ領域に格納し、デジタルカメラには、これらのメモリ領域から画像を読み出し、表示装置にまとめて表示する、或いは機器毎に切り替えて表示できるような機能が備わっており、これらの機能を用いることによって、機器群の画像を閲覧することが可能となることが提案されている。
【０００７】
また、特許文献３には、次のような方法が提案されている。即ち、デジタルカメラ１Ａはデジタルカメラ１Ｂに対してリスト送信要求を行なう。デジタルカメラ１Ｂは要求送信を受けると画像リストを生成し、デジタルカメラ１Ａに対して画像リストを送信する。デジタルカメラ１Ａは画像リストを受信すると、画像リストを表示させ、画像データの選択操作を受け付ける。画像データが選択されると選択画像データ要求送信が行われる。デジタルカメラ１Ｂは、選択画像データの要求送信を受けると選択画像データのフォーマット変換を行い、変換後の画像データをデジタルカメラ１Ａに送信する。デジタルカメラ１Ａは画像データを受信し、受信した画像データを表示部に表示する。
【０００８】
また、特許文献４では、認証を行う情報端末に認証を要求する携帯端末と、携帯端末からの要求を受けて認証を行う情報端末とを備える認証システムであって、携帯端末は、情報端末から認証情報を受信する情報受信手段と、受信した認証情報を変換する変換手段と、変換した情報を表示する画像表示手段と、を備え、情報端末は、認証情報を送信する情報送信手段と、携帯端末が表示する情報を撮像する撮像素子と、撮像した情報を認証情報に変換する変換手段と、変換した認証情報と送信した認証情報との比較により認証を行う認証手段と、を備える情報端末が提案されている。
【０００９】
また、特許文献５では、デジタルカメラにより、撮像によって取得された画像データに基づくデータを登録用データとしてサーバ装置に送信すると共に、送信した登録用データを認証用データとして記憶する一方、サーバ装置に対して認証を行わせる際に上記認証用データをサーバ装置に送信し、サーバ装置により、デジタルカメラから上記登録用データが受信された時に当該登録用データをハードディスクにより記憶する一方、デジタルカメラから上記認証用データが受信された時に上記登録用データをハードディスクから読み出して受信された認証用データと照合することにより、デジタルカメラの使用者を認証する方法が提案されている。
【特許文献１】特開２００４−１７８１８７号公報
【特許文献２】特開２００４−３２８０３８号公報
【特許文献３】特開２００５−７９６２２号公報
【特許文献４】特開２００６−２３６１１９号公報
【特許文献５】特開２００６−３４５４３０号公報
【発明の開示】
【発明が解決しようとする課題】
【００１０】
上記特許文献１では、相手機器の表示部に表示された情報を読み解き、データの送受信を行う許可を得るための認証パスワードとして使用することが提案されている。この方法の場合、相手が画像表示部に表示した画像から抽出したパスワードを持っている相手であるか否かは確認できるが、相手機器との画像の通信を行う通信路の確保のためのアドレスの取得や通信方式の決定、あるいは通信暗号化の方式などは事前に設定しておかなければならず複雑な操作を必要とする。また、送信される画像情報自身のセキュリティ確保については開示されていない。
【００１１】
また、上記特許文献２では、他の機器群から取得した画像を一括管理する方法が提案されているが、画像交換のセキュリティ確保については開示されていない。
【００１２】
また、上記特許文献３では、デジタルカメラの画像リストを送信し、画像リストによって選択された画像を送信することや、適切なフォーマットに変換して送信することが提案されているが、送信する画像情報のセキュリティ確保については開示されていない。
【００１３】
また、上記特許文献４では、相手から受信した認証情報を変換して、画像として表示し、相手が撮像して認証を行うことが提案されているが、認証の対象が正規の変換機能を有しているか否かを検証しているのみで、交換される画像情報の安全確保については開示されていない。
【００１４】
また、上記特許文献５では、画像を認証用の識別情報としてサーバに送って登録しておき、その後画像が送られてきた時、照合して使用者の確認を行うことが提案されているが、送受信する画像情報そのもののセキュリティの確保については開示されていない。
【００１５】
本発明は、上記の点に鑑みてなされたもので、撮像機器間で安全にかつ容易に画像の交換を行うことができる撮像機器及びその認証方法を提供することを目的とする。
【課題を解決するための手段】
【００１６】
本発明の撮像機器の一態様は、撮像機器間で無線による画像の送受信を行うことが可能な撮像システムにおける上記撮像機器であって、
上記画像の送受信を行う画像送受信手段と、
上記画像を受信する側の撮像機器が上記画像を送信する側の撮像機器の認証を行うための認証情報を表示する認証情報表示手段と、
上記画像を受信する側の撮像機器の上記認証情報表示手段で表示された上記認証情報を撮像する撮像手段と、
上記撮像手段で撮像された上記認証情報を用いて、上記画像を受信する側の撮像機器に対して送信する画像の加工を行う加工手段と、
上記画像を送信する側の撮像機器から送信された画像を元の画像に復元する復元手段と、
を具備することを特徴とする。
【００１７】
また本発明の画像送信方法の一態様は、撮像機器間で無線による画像の送受信を行うことが可能な撮像システムにおける上記撮像機器のための認証方法であって、
上記画像を受信する側の撮像機器が上記画像を送信する側の撮像機器の認証を行うための認証情報を表示するステップと、
上記画像を受信する側の撮像機器で表示された上記認証情報を、上記画像を送信する側の撮像機器で撮像するステップと、
上記撮像された上記認証情報を用いて、上記画像を送信する側の撮像機器が、上記画像を受信する側の撮像機器に対して送信する画像の加工を行うステップと、
上記画像を送信する側の撮像機器から送信された画像を、上記画像を受信する側の撮像機器で元の画像に復元するステップと、
を具備することを特徴とする。
【発明の効果】
【００１８】
本発明によれば、画像送受信のための画像送受信手段とは別の認証情報表示手段が出力した認証情報を直接撮像することにより、画像送受信手段による送受信が傍受されていても安全に認証情報を取得でき、なおかつ取得した認証情報を用いて上記画像送受信手段により送受信する画像情報を加工して送信することにより、撮像機器間で安全にかつ容易に画像の交換を行うことができる撮像機器及びその認証方法を提供することができる。
【発明を実施するための最良の形態】
【００１９】
以下、本発明を実施するための最良の形態を図面を参照して説明する。
【００２０】
本発明の一実施形態に係る撮像機器は、撮像機器間で無線による画像の送受信を行うことが可能な撮像システムにおける上記撮像機器である。
【００２１】
図１（Ａ）及び（Ｂ）は、上記撮像機器の一例としてのデジタルカメラ１０の外観構成を示す斜視図である。
【００２２】
即ち、図１（Ａ）に示すように、該デジタルカメラ１０のカメラ本体１２の前面には、撮影用のレンズ部１４、撮影補助光発光用のフラッシュ１６、指令機器、例えば光学式のリモコンよりの指令受光用の受光素子１８、タイマ撮影時の予告表示や指令機器よりの指令確認、あるいは警告出力用の発光素子２０、撮影状態での録音や撮影後の音声メッセージ付加に用いるマイクロフォン２２、光通信用の発光素子２４、同じく受光素子２６が配置されている。
【００２３】
また、カメラ本体１２の上面には、シャッタスイッチ２８が設けられている。このシャッタスイッチ２８は、静止画撮影状態では、２段モーションスイッチとなり、その半押しでピント合わせ、全押しでシャッタを切ることが出来る。これに対して、動画撮影状態では、１回押すと撮影を開始し、２回目を押すと撮影を停止する。また、カメラ本体１２の上面には更に、電源のオン、オフのスイッチであるパワースイッチ３０、電源オン時に点灯するパワーランプ３２、３位置切り替えのスライドスイッチであって、静止画撮影状態、動画撮影状態、画像再生状態が選択できるセレクトスイッチ３４、通常の画像撮影を行う普通位置と、認証情報を取得するための撮影を行う認証位置、とを切り替える認証スイッチ３６、等が配置されている。
【００２４】
また、カメラ本体１２の内部には、図１（Ａ）に破線で示すように、電波での通信を行うためのアンテナ３８が設置されている。なお、上記光通信用の発光素子２４及び受光素子２６と、アンテナ３８とは、当該デジタルカメラ１０の無線通信機能が光学式であるのか電波式であるのかに応じて、何れか一方が有れば良いものである。勿論、両方式を備えてあれば相手機器がどちらの方式であっても通信が出来る。
【００２５】
一方、カメラ本体１２の背面には、図１（Ｂ）に示すように、モニタ４０が設けられている。このモニタ４０は、１．８乃至は３インチ超で１１万画素乃至は２３万画素超の液晶等の表示器が用いられ、通常の撮影時の画像確認、撮影後の画像の表示、撮影シーン選択用の撮影例画像表示、撮影条件等の設定メニュー、撮影枚数や電池残量の表示などを行なう。また、認証情報を他の撮像機器に受け渡すための認証画像の表示を行う。
【００２６】
更に、カメラ本体１２の背面には、十字スイッチ４２、ＯＫボタン４４、メニューボタン４６、ズームスイッチ４８、消去ボタン５０、プリントボタン５２、発光表示素子５４、発光表示器５６、情報ボタン５８、保護ボタン６０、回転ボタン６２等が配置されている。
【００２７】
ここで、十字スイッチ４２は、上下左右に押すことが出来る４箇所シーソスイッチであり、モニタ４０上に表示された複数項目の選択時に上下、左右に選択項目を移動する場合や、再生画像の前後の駒送りなどに用いる。ＯＫボタン４４は、条件設定時にモニタ４０上の選択項目を決定するスイッチであり、メニューボタン４６は、条件設定用の各種メニュー、あるいは認証情報の表示、あるいは画像送信などのメニューを表示させるためのスイッチである。ズームスイッチ４８は、左右２箇所のシーソスイッチであり、撮影状態においては、Ｔ側を押すとレンズ部１４のズームレンズを望遠側に動かし、Ｗ側を押すと広角側にズームレンズを駆動する。また、このズームスイッチ４８は、再生状態では、画像の拡大や縮小、あるいはマルチ画面表示の制御にも使われる。再生状態で、消去ボタン５０を押すと、モニタ４０に消去の実行確認の表示が現れて、十字スイッチ４２により消去を選択してＯＫボタン４４を押すと、表示されている画像が消去される。また、再生状態で、プリントボタン５２を押すと、モニタ４０にプリントメニューを表示し、該デジタルカメラ１０とプリンタ（図示せず）が接続されていれば、当該デジタルカメラ１０内の画像を印刷することが出来る。
【００２８】
また、発光表示素子５４は、認証情報を表示素子の表示パターン即ち各発光素子のオンオフの組み合わせで出力し、他の撮像機器に受け渡す。また、発光表示器５６は、認証情報を表示器の表示セグメントの点灯パターン即ち各発光セグメントのオンオフの組み合わせで出力し、他の撮像機器に受け渡す。なお、上記発光表示素子５４、あるいは発光表示器５６は、何れか一つあれば良い。あるいはモニタ４０のみを認証情報の表示に使用する場合は無くても良い。
【００２９】
情報ボタン５８は、モニタ４０に表示されている画像に関する情報を表示させるためのスイッチである。保護ボタン６０は、モニタ４０に表示されている画像に保護フラグを付ける、あるいは解除するためのスイッチである。回転ボタン６２は、モニタ４０に表示されている画像を回転させるためのスイッチである。
【００３０】
また、カメラ本体１２の側面には、警告音や確認音の発生や、再生状態で録音されている音を再生するスピーカ６４が設けられている。
【００３１】
図２は、撮像機器の別の例としてのデジタルムービカメラ６６の外観構成を示す斜視図である。ここで、上記デジタルカメラ１０と同様の機能部材については、同一の参照符号を付す。
【００３２】
即ち、このデジタルムービカメラ６６においては、そのカメラ本体１２の前面には、撮影用のレンズ部１４、撮影補助光発光用のフラッシュ１６、指令機器よりの指令受光用の受光素子１８、タイマ撮影時の予告表示や指令機器よりの指令確認、あるいは警告出力用の発光素子２０、撮影状態での録音や撮影後の音声メッセージ付加に用いるマイクロフォン２２、光通信用の発光素子２４、同じく受光素子２６が配置されている。
【００３３】
また、カメラ本体１２の側面には、モニタ４０が回動自在に取り付けられており、撮影中の画像や撮影後の再生画像が表示、撮影シーン選択用の撮影例画像表示、撮影条件等の設定メニュー、撮影枚数や電池残量の表示ができ、使わない時にはカメラ本体１２に密着収納できる。更に、このモニタ４０に、認証情報を他の撮像機器に受け渡すための認証画像の表示を行う。また、カメラ本体１２の側面には、電源のオン、オフと、撮影や再生のモード切り替えが出来る電源モードスイッチ６８が配置されている。
【００３４】
カメラ本体１２の上面には、ズームスイッチ４８が設けられている。このズームスイッチ４８は、左右２箇所のシーソスイッチであり、撮影状態でＴ側を押すとレンズ部１４のズームレンズを望遠側に動かし、Ｗ側を押すと広角側にズームレンズを駆動する。また、再生状態では、モニタ４０における画像の拡大や縮小、あるいはマルチ画面表示の制御にも使われる。また、認証スイッチ３６は、通常の画像撮影を行う普通位置と、認証情報を取得するための撮影を行う認証位置、とを切り替える。また、本体内部にはアンテナ３８が設置されている。
【００３５】
この他に、特に図示はしていないが、カメラ本体１２の側面や背面などに、各種接続コネクタ、メニューボタン、シャッタスイッチなどがある。
【００３６】
図３（Ａ）及び（Ｂ）は、認証スイッチ３６の機能を説明する図である。  
上記認証スイッチ３６は、その操作部３６Ａの位置により普通位置３６Ｂと認証位置３６Ｃを切り替える。その位置が普通位置３６Ｂの場合は、カメラの撮影機能は、セレクトスイッチ３４の位置に応じて、普通の静止画撮影あるいは動画撮影あるいは再生を行う。その位置が認証位置３６Ｃの場合は、認証情報の取得即ち、他の撮像機器の表示した認証情報の撮影を静止画あるいは動画で行う。また、再生状態では取得した認証情報を再生することが出来る。
【００３７】
図４は、上記デジタルカメラ１０の電気的な構成を示すブロック図である。  
上記レンズ部１４は、被写体の像を撮像素子７０上に結像させる。撮像機器の種類によって一眼レフタイプやレンズシャッタタイプ、あるいはズーム機能、オートフォーカス機能、明るさ絞り機能などを含む。撮像素子７０は、被写体の像を電気信号に変換するもので、ＣＣＤタイプやＣＭＯＳタイプの撮像素子が用いられ、画素数は１００万画素クラスから１０００万画素超クラスが用いられる。撮像処理回路７２は、撮像素子７０からの信号を処理しＡ／Ｄ変換して、メニュー等で設定されている所定のフォーマットで内蔵メモリ７４あるいは着脱メモリ７６に記録する。そのフォーマットとしては、画像圧縮しないＲＡＷデータ形式や標準圧縮方式によるＪＰＥＧ形式あるいは動画の場合はモーションＪＰＥＧ形式やＭＰＥＧ２、ＭＰＥＧ４形式などが用いられる。
【００３８】
電波通信部７８は、他の撮像機器との通信を電波で行うための送受信回路で、アンテナ３８で受信した信号を、増幅、復調し、主制御部８０と協調して画像情報等に変換する。また、主制御部８０と協調して、送信する画像をデジタル信号として変調及び増幅してアンテナ３８より送信する。
【００３９】
光通信部８２は、他の撮像機器との通信を光で行うための送受信回路で、受光素子２６で電気信号に変換し、増幅、復調し、主制御部８０と協調してデコードして画像情報等に変換する。また、主制御部８０と協調して、送信する画像をデジタル信号として変調及び増幅して発光素子２４より送信する。
【００４０】
ズーム制御部８４は、静止画あるいは動画撮影が可能な場合に、カメラ本体１２のズームスイッチ４８のＴ側もしくはＷ側が操作されたとき、レンズ部１４のズームレンズを駆動する。露光制御部８６は、デジタルカメラ１０に設定されている撮影条件にしたがって被写体の明るさに応じて絞りの制御や撮像素子７０の制御を行なう。測距制御部８８は、撮像素子７０からの信号を用いてレンズ部１４の駆動及び合焦検出制御を行なう。
【００４１】
画像処理回路９０は、主制御部８０のＣＰＵ及びプログラムと協調して、画像の拡大縮小、圧縮伸長、歪補正、色補正、ノイズ除去、合成、回転などの処理を行なう。着脱メモリ７６は、画像記録用のメモリであり、半導体メモリカードやハードディスクドライブで構成され、カメラ本体１２のコネクタ（図示せず）に着脱できる。この着脱メモリ７６としては、数十メガバイトから数ギガバイトのものが用いられ、画像やその属性情報が記録される。暗号化・復号化回路９２は、着脱メモリ７６に画像を記録する際に暗号化して記録する場合及び暗号化された画像を復号化する場合に用いる。更に、認証情報を用いて送信画像を暗号化あるいは復号化する場合にも用いることが出来る。ただし、処理を主制御部８０のＣＰＵにおいてプログラムで行なう場合は省略することができる。音声処理部９４は、撮影時にマイクロフォン２２で拾った音を処理して記録させることや、再生時に記録されている音を再生処理してスピーカ６４に供給したり、警報音等をスピーカ６４に供給する。
【００４２】
外部インターフェイス９６は、デジタルカメラ１０とプリンタやパソコンあるいはハードディスクなどの外部記憶装置やテレビジョン受像機（以下、テレビと略記する）などとの接続のための信号変換機能とコネクタを含む。プリンタとの接続にはピクトブリッジ、パソコンや外部記憶装置とはＵＳＢ、テレビとはビデオケーブル等で接続することが出来る。
【００４３】
バス９８は、各部を結ぶ共通信号線群であり、データバス、アドレスバス、コントロールバスなどである。主制御部８０は、特に図示はしていないが、ＣＰＵ、ＲＯＭ、ＲＡＭ、レジスタ、カウンタ、タイマ、書き換え可能な不揮発性メモリなどを含むマイクロコンピュータシステムであり、当該デジタルカメラ１０全体の制御や表示、データ処理を司る。また、この主制御部８０には、該主制御部８０内の不揮発性メモリに他の撮像機器から取得した認証情報を記憶しておく認証情報記憶部８０Ａ、ならびに取得した認証情報を用いて送信する画像情報等を加工するための、情報加工部８０Ｂがある。
【００４４】
内蔵メモリ７４は、撮影した画像を記録する、当該デジタルカメラ１０から取り出し出来ないメモリである。この内蔵メモリ７４としては、数十メガバイトから数ギガバイトの半導体メモリあるいは数百メガバイトから十ギガバイトクラスの超小型ハードディスクが好適である。
【００４５】
フラッシュ１６は、静止画撮影時に、メニューで設定されたフラッシュモード、例えば暗い時や逆光で自動発光するモード、弱く発光するソフト発光モード、本発光前に数回の予備発光をする赤目軽減モード、必ず発光する強制発光モード、発光しない発光禁止モード、にしたがってフラッシュ発光を行なう。発光部１００は、発光素子２０の点灯を制御する。受光部１０２は、受光素子１８よりの電気信号を増幅し復調する。表示制御部１０４は、モニタ４０に撮影画像や再生画像、メニューや情報及び警報用の文字や記号の表示制御を行なう。更に認証情報としての認証画像等を表示する。更に、認証情報出力用の発光表示素子５４、発光表示器５６の駆動制御を行う。
【００４６】
電源回路１０６は、電池１０８あるいは外部の電源（図示せず）からの電力を、各部に必要な電圧に変換して供給する。電池１０８は交換可能で、リチュームイオン充電電池や乾電池が用いられる。パワースイッチ３０でカメラ本体１２の電源のオン、オフを行い、オンのときはパワーランプ３２が点灯している。
【００４７】
シャッタスイッチ２８、セレクトスイッチ３４、認証スイッチ３６、十字スイッチ４２、ＯＫボタン４４、メニューボタン４６、ズームスイッチ４８、消去ボタン５０、プリントボタン５２、情報ボタン５８、保護ボタン６０、回転ボタン６２は、図１（Ａ）及び（Ｂ）を参照して説明した通りである。各スイッチ及びボタンは、主制御部８０のＣＰＵの割り込みライン及び／又は入出力ポートに接続されている。
【００４８】
なお、デジタルムービカメラ６６の場合、外観等は長時間の動画撮影時の操作性等を考慮した形状になっているが、基本的な機能構成は、図４に示したデジタルカメラ１０のそれと同様である。
【００４９】
図５は、カメラ本体１２に設けられたスイッチ及びボタンの動作対応表である。  
カメラ本体１２のスイッチやボタンが押された場合、カメラ本体１２の主制御部８０のＣＰＵに割り込みやリセットが掛かり、対応した動作が行なわれる。各対応動作については図５中にそれぞれの対応動作として説明しているので、ここでは対応の概要をデジタルカメラ１０の場合を例に説明する。なお、撮像機器の種類により、対応するスイッチやボタンが無いもの、別の名称となっているもの、等もある。
【００５０】
カメラ本体１２が電源オフの状態で、パワースイッチ３０が押されると電源が入り、主制御部８０のＣＰＵにリセットが掛かり動作が開始される。また、電源がオンの状態でパワースイッチ３０が押されると、動作を終了し電源がオフとなる。
【００５１】
セレクトスイッチ３４が切り替わると、割り込み処理により現在の状態を終了し、新たな状態に移行する。認証スイッチ３６が切り替わると、割り込み処理により現在の状態を終了し、他の状態に移行する。
【００５２】
シャッタスイッチ２８が押されると、シャッタスイッチオンのフラグを立てる。このフラグはプログラムで読み取られ、撮像動作の開始や終了動作を行なう。メニューボタン４６が押されると、モニタ４０にメニューを表示し、十字スイッチ４２やＯＫボタン４４での設定変更ができる。メニュー表示中に再度メニューボタン４６が押されると、メニュー動作は終了する。ズームスイッチ４８がＴ側あるいはＷ側に押されると、ズーム制御部８４を駆動する。十字スイッチ４２の何れかが押されると、対応するスイッチフラグを立てる。ＯＫボタン４４が押されると、ＯＫボタンフラグを立てる。消去ボタン５０が押されると、モニタ４０に消去の確認メニューを表示し、対応する確認のスイッチが押されると消去を実行する。プリントボタン５２が押されると、モニタ４０にプリントメニューを表示し、以降所定の印刷動作を行なう。情報ボタン５８が押されると、情報ボタンフラグを立てる。保護ボタン６０が押されると、保護ボタンフラグのオン、オフ及びメッセージの表示を行う。回転ボタン６２が押されると、回転ボタンフラグを立てる。上記で立てられたフラグは、用途によって読み取られた段階でクリアされる場合と、スイッチやボタンが押し続けられている間（オンの間）は立てておきオフでクリアされる場合がある。
【００５３】
図６Ａ乃至図６Ｃは、撮像機器における状態遷移とプロセスを説明する一連のフローチャートを示している。なお、ここでは撮像機器がデジタルカメラ１０の場合を例に説明するが、デジタルムービカメラ６６の場合も、スイッチ操作等が異なること以外は同様である。
【００５４】
図６Ａに示すように、電源オフの状態において（ステップＳ１０）、パワースイッチ３０が押されると（ステップＳ１２）、カメラ本体１２の電源がオンとなり（ステップＳ１４）、モニタ４０に初期画面が表示される（ステップＳ１６）。この初期画面には、電池残量を示すマーク等が表示される。
【００５５】
そしてその後、認証スイッチ３６の位置を読み取り、位置にしたがって分岐する（ステップＳ１８）。
【００５６】
以下、認証スイッチ３６が普通位置３６Ｂにある場合を説明する。  
即ち、認証スイッチ３６が普通位置３６Ｂ（Ｎ０）であると判断された場合には、セレクトスイッチ３４の状態を読み取り（ステップＳ２０）、静止画撮影状態Ｊ１か、動画撮影状態Ｊ２か、再生状態Ｊ３かにより分岐する。
【００５７】
まず、撮影状態を中心に説明する。  
セレクトスイッチ３４により静止画撮影状態Ｊ１が選択されている場合には、モニタ４０にライブ画像を表示し、また、現在の撮影画素数や撮影可能枚数なども表示する（ステップＳ２２）。そして、シャッタスイッチ２８の１段目がオンになったか否かを判別する（ステップＳ２４）。なお、特に図示はしていないが、上記ステップＳ２２及びステップＳ２４のループ実行中に、ズームスイッチ４８等、他のスイッチやボタンの操作がなされれば、その操作に応じた動作を行うことは勿論である。
【００５８】
上記ステップＳ２４において、シャッタスイッチ２８の１段目がオンになったと判断したならば、フォーカス合わせを行って（ステップＳ２６）、シャッタスイッチ２８の２段目がオンになるのを待つ（ステップＳ２８）。而して、シャッタスイッチ２８の２段目がオンになったならば、静止画を撮影する（ステップＳ３０）。その後、連写モードに設定されているか否かを確認する（ステップＳ３２）。ここで、連写モードに設定されていない場合には、短時間、撮影した画像をモニタ４０に表示した後（ステップＳ３４）、上記ステップＳ１８に戻る。
【００５９】
これに対して、連写モードに設定されていた場合には、内蔵メモリ７４及び／又は着脱メモリ７６のメモリ残量が所定量以上有るか否か確認し（ステップＳ３６）、メモリ残量が無い場合は、モニタ４０にメモリフルの警告を表示して（ステップＳ３８）、上記ステップＳ１８に戻る。また、メモリ残量が有る場合には、シャッタスイッチ２８がオンのままか否かを確認し（ステップＳ４０）、オフされていれば上記ステップＳ１８に戻る。また、シャッタスイッチ２８がオンされている場合には、上記ステップＳ３０に戻り、次の静止画を撮影する。
【００６０】
一方、上記ステップＳ２０において、セレクトスイッチ３４により動画撮影状態Ｊ２が選択されている場合には、モニタ４０にライブ画像を表示し、また、現在の撮影画素数での撮影可能時間なども表示する（ステップＳ４２）。そして、シャッタスイッチ２８が押されるとオンするシャッタスイッチフラグによりシャッタスイッチ２８がオンされたか否かを判別する（ステップＳ４４）。ここで、シャッタスイッチフラグがオンになっていないと判別した場合には、上記ステップＳ４２に戻って、ライブ画像の表示を続ける。なお、特に図示はしていないが、上記ステップＳ４２及びステップＳ４４のループ実行中に、ズームスイッチ４８等、他のスイッチやボタンの操作がなされれば、その操作に応じた動作を行うことは勿論である。
【００６１】
而して、シャッタスイッチフラグがオンになったならば、そのシャッタスイッチフラグをクリアした後（ステップＳ４６）、フォーカス合わせを行い、動画の撮影を開始する（ステップＳ４８）。この動画撮影中は、内蔵メモリ７４及び／又は着脱メモリ７６のメモリ残量をチェックし（ステップＳ５０）、メモリ残量が無い場合はモニタ４０にメモリフルの警告を表示した上で（ステップＳ５２）、動画撮影を終了して（ステップＳ５４）、上記ステップＳ１８に戻る。これに対して、まだメモリ残量が有る場合には、シャッタスイッチフラグがオンとなったかどうかを確認し（ステップＳ５６）、それがオフのままである場合は上記ステップＳ４８に戻って、動画の撮影を続ける。そして、上記シャッタスイッチフラグがオンになった場合は、上記ステップＳ５４に進んで動画撮影を終了して、上記ステップＳ１８に戻る。このように、シャッタスイッチ２８が押されてから再度押されるまでの間、動画が撮影される。
【００６２】
次に、再生状態について説明する。  
上記ステップＳ２０において、セレクトスイッチ３４により再生状態Ｊ３が選択されている場合には、図６Ｂに示すような再生状態に移行する。即ち、先ず内蔵メモリ７４及び着脱メモリ７６の内、最後に記録した最終画像をモニタ４０に表示する（ステップＳ５８）。次に、スイッチやボタン類が押されたかどうかをチェックし（ステップＳ６０）、押された場合には、以下のように該当する動作を行なう。
【００６３】
即ち、カメラ本体１２の十字スイッチ４２が押された場合（ステップＳ６２）、その内の下スイッチ（アルバム）であれば（ステップＳ６４）、アルバムに記録されている画像のモニタ４０への表示を行う（ステップＳ６６）。そして、その表示中にメニューボタン４６が押されると（ステップＳ６８）、アルバム表示機能を終了して、上記ステップＳ６０に戻る。なお、アルバムとは、あるイベントに関する画像群を纏めて取り扱えるように、画像群とは別にインデックス情報を持って、そこに画像へのアクセスポインタを書いておき、アルバム名を指定すると一連の画像が一括して表示等できる機能のことである。
【００６４】
また、十字スイッチ４２の内の上スイッチ（カレンダ）が押された場合には（ステップＳ７０）、当月一か月分の記録画像をカレンダ形式でモニタ４０に表示する（ステップＳ７２）。更に十字スイッチ４２で、前月以前の表示を行なったり、日にちを選択してその日の撮影画像を表示することなどもできる。表示中にメニューボタン４６が押されると（ステップＳ７４）、カレンダ表示機能を終了して、上記ステップＳ６０に戻る。
【００６５】
また、十字スイッチ４２の内の右スイッチ（＋）が押された場合には（ステップＳ７６）、次の画像を表示した後（ステップＳ７８）、上記ステップＳ６０に戻る。なお、現在の画像が最終画像の場合は、最初の画像を表示する。
【００６６】
また、十字スイッチ４２の内の左スイッチ（−）が押された場合には（ステップＳ８０）、前の画像を表示した後（ステップＳ８２）、上記ステップＳ６０に戻る。なお、現在の画像が最初画像の場合は、最後の画像を表示する。
【００６７】
ＯＫボタン４４が押された場合には（ステップＳ８４）、現在の画像が動画であるか否かを確認し（ステップＳ８６）、動画でない場合には、そのＯＫボタン４４の押下は無視して、上記ステップＳ６０に戻る。これに対して、現在の画像が動画である場合には、動画を表示して（ステップＳ８８）、上記ステップＳ６０に戻る。
【００６８】
ズームスイッチ４８が押された場合には（ステップＳ９０）、Ｔ側であれば（ステップＳ９２）、表示されている画像を拡大表示して（ステップＳ９４）、上記ステップＳ６０に戻る。拡大表示中にＷ側を押すと、画像の一駒表示に戻る。また、Ｗ側の場合には（ステップＳ９６）、表示画像を縮小してインデックス表示をして（ステップＳ９８）、上記ステップＳ６０に戻る。Ｗ側を押すたびに、４駒、９駒、１６駒、２５駒に順次一覧表示ができる。縮小一覧表示中にＴ側を押すと、押すたびに２５駒、１６駒、９駒、４駒、１駒の表示に戻る。
【００６９】
消去ボタン５０が押された場合には（ステップＳ１００）、モニタ４０に本当に消去するかの確認表示を行い（ステップＳ１０２）、消去中止が選択された場合は消去せずに、上記ステップＳ６０に戻る。これに対して、消去実行が選択された場合には、その駒を消去して、一つ前の画像を表示して（ステップＳ１０４）、上記ステップＳ６０に戻る。なお、消去対象の画像が保護されている場合は、保護画像であることをモニタ４０に警告表示して、消去の実行は無視される。
【００７０】
プリントボタン５２が押された場合には（ステップＳ１０６）、プリンタへの画像送信等の必要な印刷動作を行なって（ステップＳ１０８）、上記ステップＳ６０に戻る。
【００７１】
情報ボタン５８が押された場合には（ステップＳ１１０）、モニタ４０に表示されている画像の情報を表示して（ステップＳ１１２）、上記ステップＳ６０に戻る。
【００７２】
保護ボタン６０が押された場合には（ステップＳ１１４）、モニタ４０に表示されている画像が保護されていない場合は保護フラグを付けて、「画像を保護しました」というメッセージを表示し、画像が既に保護されている場合は、保護フラグを解除して、「画像の保護を解除しました」というメッセージを表示して、（ステップＳ１１６）、上記ステップＳ６０に戻る。もし、保護されている画像を誤って解除してしまった場合でも、「画像の保護を解除しました」というメッセージを見て、再度保護ボタンを押すことで保護できる。
【００７３】
回転ボタン６２が押された場合には（ステップＳ１１８）、モニタ４０に表示されている画像を左９０度回転させて（ステップＳ１２０）、上記ステップＳ６０に戻る。但し、このステップＳ６０に戻ってからの表示は、上記ステップＳ１２０で回転された画像の表示が維持される。なお、再度、回転ボタン６２が押されると、ステップＳ１２０では元の画像の右９０度回転画像の表示を行い、もう一度押されると、元の画像に戻す。
【００７４】
メニューボタン４６が押された場合には（ステップＳ１２２）、メニューの表示と設定ができる。メニュー機能は多数ある。メニュー設定はトップメニューから階層的に細部の設定が出来る様になっている。トップメニューは、セレクトスイッチ３４の位置によって表示内容が異なるので、セレクトスイッチ３４の位置を読み取り（ステップＳ１２４）、対応するメニューをモニタ４０に表示する（ステップＳ１２６）。
【００７５】
静止画撮影状態Ｊ１の場合、ＶＯＩＣＥ録音、マクロ、シーン選択、モードメニューを表示する。動画撮影状態Ｊ２の場合、ＶＯＩＣＥ録音、マクロ、手振れ補正、モードメニューを表示する。再生状態Ｊ３の場合は、再生内容により表示されるメニューが異なる。即ち、静止画再生時は、ストレージ再生、情報表示、スライドショー、モードメニューを表示する。動画再生時は、ストレージ再生、情報表示、動画再生終了、モードメニューを表示する。ＶＯＩＣＥ再生時には、ストレージ再生、情報表示、ＶＯＩＣＥ再生終了、モードメニューを表示する。カレンダ再生時には、カレンダ再生終了、情報表示、スライドショー、モードメニューを表示する。アルバム再生時には、アルバム選択、情報表示、アルバム再生終了、モードメニューを表示する。それぞれの下位メニューの操作、表示の詳細は省略するが、共通的なモードメニューについて説明する。
【００７６】
即ち、モードメニューは更にセレクトスイッチ３４の位置により表示内容が異なる。静止画撮影状態Ｊ１の場合、画質モード切り替え、連写設定、露出補正、デジタルズーム設定、ホワイトバランス設定、画像等を記録するメモリの選択の設定等ができる。動画撮影状態Ｊ２の場合、画質モード切り替え、露出補正、デジタルズーム設定、ホワイトバランス設定、フルタイムオートフォーカスの設定、画像等を記録するメモリの選択の設定等ができる。再生状態Ｊ３の場合は、回転表示、録音、画像編集、画像補正、画像合成ができる。
【００７７】
メニュー操作を終了するには、メニューボタン４６を再度押すことで（ステップＳ１２８）、上記ステップＳ６０に戻る。
【００７８】
また、図６Ａに示すように、初期画面表示（ステップＳ１６）以降に、認証スイッチ３６が切り替えられた場合（ステップＳ１３０）、並びにセレクトスイッチ３４が切り替えられた場合（ステップＳ１３２）には、割り込み処理により実行中の処理は中止され、認証スイッチ３６読み取り（ステップＳ１８）に移行する。
【００７９】
次に、認証スイッチ３６が認証位置３６Ｃにある場合を説明する。  
即ち、認証スイッチ３６の読み取り（ステップＳ１８）で認証位置３６Ｃ（Ｎ１）であった場合には、図６Ｃに示すように、セレクトスイッチ３４の位置を読み取り（ステップＳ１３４）、静止画撮影状態Ｊ１、動画撮影状態Ｊ２、再生状態Ｊ３の選択に従って分岐する。
【００８０】
セレクトスイッチ３４により静止画撮影状態Ｊ１が選択されている場合は、静止画撮影及び認証情報記憶処理を実行する（ステップＳ１３６）。この静止画撮影及び認証情報記憶処理における静止画の撮影動作については、図６Ａの静止画撮影の動作（ステップＳ２２からステップＳ４０）と同様の動作であるので、その詳細説明は省略する。また、認証情報記憶の動作は、撮影された静止画を解析して認証情報を取得し、記憶するものであり、その詳細は後述する。そして、撮影が完了したならば（ステップＳ１３８）、上記ステップＳ１３４に戻る。これに対して、撮影途中で警報が出た場合には（ステップＳ１４０）、撮影を中止して、上記ステップＳ１３４に戻る。
【００８１】
セレクトスイッチ３４により動画撮影状態Ｊ２が選択されている場合は、動画撮影及び認証情報記憶処理を実行する（ステップＳ１４２）。この動画撮影及び認証情報記憶処理は、図６Ａの動画撮影の動作（ステップＳ４２からステップＳ５４）と同様の動作であるので、その詳細説明は省略する。また、認証情報記憶の動作は、撮影された動画を解析して認証情報を取得し、記憶するものであり、その詳細は後述する。そして、撮影が完了したならば（ステップＳ１４４）、上記ステップＳ１３４に戻る。撮影途中で警報が出た場合には（ステップＳ１４６）、撮影を中止して、上記ステップＳ１３４に戻る。
【００８２】
上記認証情報の記憶先は、所定のメモリに認証情報であることがわかる形で記憶しておく。具体的には、認証情報の記憶リストを作成して管理すること、情報に特定のフラグを付けること、あるいは所定のアドレス以降に記憶することなどで、普通位置３６Ｂで撮影した画像とは区別出来る様にしておく。
【００８３】
セレクトスイッチ３４により再生状態Ｊ３が選択されている場合は、記憶されている認証情報の最新のものをモニタ４０に表示して（ステップＳ１４８）、図６Ｂの動作（ステップＳ６０からステップＳ１２８）と同様の動作を行う（ステップＳ１５０、ステップＳ１５２）。動作途中で認証スイッチ３６が切り替えられたときは、動作を中止して図６ＡのステップＳ１８に戻る。
【００８４】
なお、再生状態Ｊ３での画像表示や各ボタン操作への対応は、上記認証情報のみを対象として行う。即ち、前述のように認証情報のリストを作成しておく場合は、このリストに載っている情報を順次読み出して表示したり、消去したり印刷したりすることが出来る。なお個々の動作については必要に応じて後の図面で追加の説明を行う。
【００８５】
図７は、撮像機器よりの画像送信について説明するためのフローチャートを示す図である。  
撮像機器よりの画像送信を認証位置３６Ｃでのメニューの一つとして行う場合、図６ＣのステップＳ１５０でメニューボタンが押されて（ステップＳ１５２Ａ）、メニューの表示及び選択が行われた際（ステップＳ１５２Ｂ）、画像送信メニューを選択する（ステップＳ１５２Ｃ）。
【００８６】
この画像送信メニューが選択されると、まず、送信相手先の選択処理が実行される（ステップＳ１５２Ｄ）。これは、送信相手先のリストの表示、あるいは図４２で説明するような認証情報の順次表示、あるいは図４３で説明するような認証情報一覧などにより、送信相手先を選択する。続いて、送信する画像の選択が行われる（ステップＳ１５２Ｅ）。この画像の選択は、画像を順次モニタ４０に表示してＯＫボタン４４を押して選択する、あるいはカレンダ表示で十字スイッチ４２でカーソルを動かしＯＫボタン４４を押して選択することなどが出来る。送信相手先と送信する画像が決まると、上記図６Ｃで説明したようにして取得した相手先の認証情報を用いて、送信する画像を加工する（ステップＳ１５２Ｆ）。加工が出来たら画像を送信して（ステップＳ１５２Ｇ）、上記ステップＳ１５２Ｄに戻る。なお、メニューボタン４６が押された場合は、上記ステップＳ１５２Ｂに戻る。
【００８７】
また、上記ステップＳ１５２Ｂにおいて、送信以外のメニューが選択された場合には（ステップＳ１５２Ｈ）、対応するメニューの処理を行う（ステップＳ１５２Ｉ）。この場合、メニューボタン４６が押されたら（ステップＳ１５２Ｊ）、上記ステップＳ１５０に戻る。
【００８８】
図８は、認証情報の作成メニュー処理を説明するためのフローチャートを示す図である。  
認証情報の作成を認証位置３６Ｃでのメニューの一つとして行う場合、図６ＣのステップＳ１５０でメニューボタンが押されて（ステップＳ１５２Ａ）、メニューの表示及び選択処理が行われた際（ステップＳ１５２Ｂ）、認証情報作成メニューが選択される（ステップＳ１５２Ｋ）。
【００８９】
この認証情報作成メニューが選択されると、まず、表示形式の選択処理が実行される（ステップＳ１５２Ｌ）。後述の図１４（Ａ）乃至図２０で説明するように認証情報の表示形式には、モニタ４０への表示、発光表示素子５４への表示、発光表示器５６への表示がある。モニタ４０へは、静止画表示、静止画複数順次表示、動画表示が出来る。表示内容は、画像、文字、バーコードや二次元コードなどのパターン、あるいはカラーバーやカラーマトリックスなどが選べる。また、発光表示素子５４へは、点灯の有無によるビットパターンの固定表示あるいは順次表示が出来る。または発光表示器５６へは、数字や文字や記号の固定表示あるいは順次表示ができる。表示形式の選択は、撮像機器の有する表示機能に合わせて選択できる。
【００９０】
次に、表示する情報を選択決定する（ステップＳ１５２Ｍ）。表示する情報は自己の認証情報を表示するが、認証情報以外の補助的な情報を併せて表示してもかまわない。表示する情報の選択は、後述する画像送信の通信手段に合わせて行う。例えば、ＩＥＥＥ８０２．１１ｂ形式の無線ＬＡＮの場合は、自己のＭＡＣ（Media Access Control）アドレスやＳＳＩＤ（Service Set IDentifier）、ＷＥＰ（Wired Equivalent Privacy）キーなどを表示する。ＩｒＤＡ（Infrared Data Association）形式の光通信の場合はその仕様やバージョンに合わせて表示データを選択する。相手の撮像機器が送信する画像を加工するために用いる認証情報として、暗号キーを表示することも出来る。また、暗号形式が秘密に保たれている場合は、秘密でない表示データの一部を暗号キーとして用いて画像を加工することもできる。
【００９１】
続いて、認証情報以外の補足情報の追加選択を行う（ステップＳ１５２Ｎ）。補足情報は、認証情報の識別を容易にするための情報として、自己の顔写真やマーク、ニックネームや名前、あるいはＩＤ番号などが好適である。あるいは補足情報として、通信データの信頼性チェックのためのデータ、例えばハッシュ関数により圧縮したデータや、エラー訂正用の情報を付加しても良い。補足情報は無くても良い。
【００９２】
次に、情報をモニタ４０に表示して確認し（ステップＳ１５２Ｏ）、ＯＫボタン４４が押されたら（ステップＳ１５２Ｐ）、認証情報記憶部８０Ａに記憶して（ステップＳ１５２Ｑ）、上記ステップＳ１５２Ｂに戻る。また、上記ステップＳ１５２Ｏで内容が満足できない時はメニューボタン４６を押して（ステップＳ１５２Ｒ）、上記ステップＳ１５２Ｂに戻る。
【００９３】
また、上記ステップＳ１５２Ｂにおいて、認証情報作成以外のメニューが選択された場合には（ステップＳ１５２Ｓ）、対応するメニューの処理を行う（ステップＳ１５２Ｉ）。この場合、メニューボタン４６が押されたら（ステップＳ１５２Ｊ）、上記ステップＳ１５０に戻る。
【００９４】
図９は、認証情報の表示メニュー処理について説明するためのフローチャートを示す図である。  
図６ＣのステップＳ１５０でメニューボタンが押されて（ステップＳ１５２Ａ）、メニューの表示及び選択処理が行われた際（ステップＳ１５２Ｂ）、認証情報表示メニューが選択されると（ステップＳ１５２Ｔ）、まず、認証情報記憶部８０Ａに記憶されている自己の認証情報を読み出し（ステップＳ１５２Ｕ）、対応する表示手段、即ち発光表示素子５４、あるいは発光表示器５６、あるいはモニタ４０に表示する（ステップＳ１５２Ｖ）。そして、ボタン及びスイッチのセンスを行い（ステップＳ１５２Ｗ）、メニューボタン４６が押されたら（ステップＳ１５２Ｘ）、上記ステップＳ１５２Ｂに戻る。また、ステップＳ１５２Ｗで十字スイッチが押されたら（ステップＳ１５２Ｙ）、上記ステップＳ１５２Ｕに戻って、複数の認証情報が認証情報記憶部８０Ａにある場合は順次表示する。
【００９５】
また、上記ステップＳ１５２Ｂにおいて、認証情報送信以外のメニューが選択された場合には（ステップＳ１５２Ｚ）、対応するメニューの処理を行う（ステップＳ１５２Ｉ）。この場合、メニューボタン４６が押されたら（ステップＳ１５２Ｊ）、上記ステップＳ１５０に戻る。
【００９６】
このようにして、認証情報記憶部８０Ａに認証情報が複数ある場合に、相手の撮像機器の撮像性能に合わせて選択する際などに、認証情報を表示して確認することが出来る。また、このメニューを用いて認証情報を表示し、相手機器が撮影することにより認証情報を受け渡すことができる。
【００９７】
なお、上記説明は、認証情報の作成や表示、あるいは画像送信をメニューの一つとして実行する場合を例に説明したが、メニューとしてではなくカメラ本体１２に専用のボタンを設けてボタンが押された時に上記のように実行しても良い。
【００９８】
以上は、撮像機器単体での動作について説明してきたが、ここ以降では相手の撮像機器との関係を含めての説明も行う。
【００９９】
図１０は、第１の撮像機器が画像を送信する相手の第２の撮像機器から認証情報を取得する手順を説明するためのフローチャートを示す図である。なお、ここでは、認証情報を取得する第１の撮像機器と、認証情報を表示して第１の撮像機器に受け渡す第２の撮像機器の２台の場合について説明する。３台以上の場合でも基本的な手順は同様になる。
【０１００】
まず、第２の撮像機器が、自己の認証情報を図９で示した手順で表示する（ステップＳ２００）。第１の撮像機器は、第２の撮像機器の撮像機器が表示した認証情報を図６Ｃで示した手順で撮影し（ステップＳ２０２）、撮影した認証情報を所定のルールで解析する（ステップＳ２０４）。そして、認証情報として十分な情報が得られたか判断し（ステップＳ２０６）、得られた場合は認証情報を自己の表示手段に表示すると共に所定のメモリに記憶する（ステップＳ２０８）。もし、上記ステップＳ２０６で十分な情報が得られていないと判断した場合は、上記ステップＳ２０２に戻って、再度、認証情報の撮影を行う。
【０１０１】
図１１は、第１の撮像機器１１０が、第２の撮像機器１１２がモニタ４０に表示した認証情報１１４を撮影する場合の状態を説明するための図である。
【０１０２】
第１の撮像機器１１０は、レンズ部１４を通して第２の撮像機器１１２のモニタ４０に表示された認証情報１１４を撮影して自己のモニタ４０に表示し、ズーム機能や焦点調節により適切な撮影を行う。モニタ４０が液晶表示器のようなドットの集合による表示の場合、撮像側の状態によりモアレ縞などの撮像に邪魔なノイズが発生する場合があるので、撮像機器同士の間隔や撮影倍率などを調整して、よい条件で撮影することが望ましい。この例では、第２の撮像機器１１２の撮像機器のモニタ４０に認証情報１１４を表示して撮影する場合を例示しているが、第２の撮像機器１１２の表示を、発光表示素子５４に行う場合、あるいは発光表示器５６に行う場合は、それぞれの表示にあわせて撮影条件を調整する。また、第２の撮像機器１１２が静止画を表示する場合は、第１の撮像機器１１０は静止画で、第２の撮像機器１１２が動画あるいは静止画の順次表示や連続表示を行う場合は、第１の撮像機器１１０は動画撮影あるいは静止画の連写、あるいは静止画のインターバル撮影を行う。
【０１０３】
図１２は、撮像機器間での画像の送受信手順を説明するためのフローチャートを示す図である。  
先ず、画像を受信する側の第２の撮像機器１１２が自己の認証情報を表示手段に表示し（ステップＳ２００）、画像を送信する側の第１の撮像機器１１０が、図１０のステップＳ２０２乃至ステップＳ２０８で説明したような、認証情報の撮影、解析、記憶を行う（ステップＳ２１０）。その後、第１の撮像機器１１０が画像を送信する際に、送信先の選択として第２の撮像機器１１２の送信アドレス等を選択し、送信する画像の選択を行う（ステップＳ２１２）。そして、送信先である第２の撮像機器１１２の認証情報を読み出して、送信する画像の加工を行い（ステップＳ２１４）、加工した画像を送信する（ステップＳ２１６）。
【０１０４】
画像を受信する側の第２の撮像機器１１２は、第１の撮像機器１１０から送信された加工画像を受信して、認証情報を確認する（ステップＳ２１８）。そして、加工された画像を、認証情報を用いて加工を解き、画像を再生して（ステップＳ２２０）、画像の保存と表示を行う（ステップＳ２２２）。
【０１０５】
なお、画像の加工方法は種々あるが、暗号化を用いる場合には、第１の撮像機器１１０での加工は暗号化であり、第２の撮像機器１１２での加工を解く方法は復号化となる。
【０１０６】
図１３（Ａ）及び（Ｂ）は、第１の撮像機器１１０と第２の撮像機器１１２との間での画像の送受信の状態を示す図である。
【０１０７】
ここで、図１３（Ａ）は、画像の交換を電波で行う場合のイメージを示した図である。即ち、撮像機器１１０，１１２間で、点線で示したように、電波１１６により画像の送受信を行う。
【０１０８】
また、図１３（Ｂ）は、画像の交換をＩｒＤＡなどの光通信で行う場合のイメージを示した図である。即ち、第１の撮像機器１１０の光通信用の発光素子２４と受光素子２６を、第２の撮像機器１１２の受光素子２６と発光素子２４に対向させて、図中の実線矢印によって模式的に示すように、光線１１８によって光通信を行う。
【０１０９】
次に、撮像機器での認証情報等の情報表示方法を説明する。  
まず、発光表示素子５４による情報表示を説明する。  
図１４（Ａ）は、発光表示素子５４の実装例を示す図で、８個のＬＥＤ１２０を２列に配置した例である。これによって、１６ビットの情報表示が出来る。１６ビットのバイナリー表示、あるいは２バイト表示が出来る。また、順次情報を表示することで多くの情報を表示することが出来る。撮像側での情報解析を容易にするために、最初に全てのＬＥＤ１２０を点灯しその位置を示した後に、送信する情報を表示することが望ましい。あるいは、順次表示で少なくとも一回はどのＬＥＤ１２０も点灯するようにして全てのＬＥＤ１２０の位置を撮像側が認識できるようにしても良い。撮像する側は、撮像機器が余りぶれないように、ぶれはＬＥＤ１２０の間隔の半分以下に抑えて撮影できることが望ましい。
【０１１０】
図１４（Ｂ）は、発光表示素子５４の他の実装例を示す図で、４個のＬＥＤ１２０を４列に配置した例である。これによって１６ビットのバイナリー表示、あるいは２バイト表示が出来る。他の特徴は図１４（Ａ）と同様である。
【０１１１】
次に、発光表示器５６による情報表示を説明する。  
図１５（Ａ）は、発光表示器５６の実装例を示す図であり、発光表示器５６を７セグメントの発光表示器として構成している。これにより、数字や記号を１桁表示できる。より多くの情報の表示は、間隔を置いて順次情報を表示することで出来る。情報表示は、図１５（Ｂ）や図１５（Ｃ）に示すような点灯パターンによって行う。このように、発光表示器５６は、セグメントのオン，オフの組み合わせで情報の表示を行うので、最初に全セグメントを点灯して、各セグメントの位置を示した後に送信する情報を表示することが望ましい。あるいは、順次表示で少なくとも一回はどのセグメントも点灯するようにしても良い。撮像する側は、撮像機器が余りぶれないように、ぶれはセグメントの間隔の半分以下に抑えて撮影できることが望ましい。
【０１１２】
図１６（Ａ）は、発光表示器５６の他の実装例を示す図で、７セグメントの発光表示器を２個、配置した例である。これによって、図１６（Ｂ）に示すように、数字や記号を２桁表示できる。他の特徴は図１５（Ａ）と同様である。
【０１１３】
次に、モニタ４０への認証情報の表示について説明する。  
図１７（Ａ）は、認証情報としてモニタ４０に、画像１２２、相手の識別符号１２４、相手のアドレス１２６、認証情報の有効期限１２８、暗号化用の情報１３０などを表示した例である。画像１２２は、目視で相手が識別できる顔写真やシンボルマークなどが便利である。識別符号１２４は、相手のＩＤ番号や一時的に割り振った登録番号などを用いる。相手のアドレス１２６は、通信に使う方式に見合ったものとなる。有効期限１２８は、短時間あるいは一日、あるいは一定期間で開始と終了の両方を指定しても良い。暗号化用の情報１３０は、数字６桁の暗号キーと暗号化の方式を示す記号Ｚとで構成した例である。情報の桁数は、通信方式や暗号化、復号化に要する機器の能力及び所要時間を考慮して適切なものを使用する。
【０１１４】
図１７（Ｂ）は、他の認証情報の表示例で、バーコード１３２を用いた例である。一次元バーコードに十分な情報が入りきらない場合は、暗号化用の情報１３０のみ、あるいはアドレス情報を加えてバーコード化し、残りは記号で表示しても良い。
【０１１５】
図１７（Ｃ）は、バーコード１３２を二次元バーコードとした例で、一次元バーコードに比べてより多くの情報がコード化できるが、表示並びに読取り及び解読の性能は一次元バーコードに比べて高機能が要求される。この場合も記号での情報表示を併用しても良い。
【０１１６】
図１７（Ｄ）は、バーコード１３２を二次元ドットコードとした例で、一次元バーコードに比べてより多くの情報がコード化できるが、表示並びに読取り及び解読の性能は一次元バーコードに比べて高機能が要求される。この場合も記号での情報表示を併用しても良い。
【０１１７】
図１８（Ａ）乃至（Ｃ）は、カラー表示画面の例で、表示内容は図１７（Ａ）と同様であるが、背景の色を相手先によって区別し易いように使い分ける場合である。識別符号ＡＸ０１は赤、ＡＸ０２は黄色、ＡＸ０３は青色のように、直感的に相手が識別できる色を用いる。
【０１１８】
図１９（Ａ）は、認証情報としてモニタ４０に、カラーバー１３４などを表示した例である。カラーバー１３４の８本の色の組み合わせで認証情報を表す。例えば、２色の場合、赤を「１」、青を「０」とすれば、８ビットの情報を一画面で表すことが出来る。３色の場合は、赤を「２」、緑を「１」、青を「０」とすれば３値のデジタルコードとなり、８本のバーで、６５６０までの値を表現できるので、暗号キーの受け渡しに利用できる。更に、記号表示領域１３６として、相手のアドレス１２６、認証情報の有効期限１２８などを表示しても良い。一画面で足りない場合は、複数画面表示により受け渡す情報を増やすことが出来る。
【０１１９】
また、図１９（Ｂ）のように、識別用の画像１２２をカラーバー１３４の一部に表示しても良い。
【０１２０】
図２０は、モニタ４０に、マトリックス表示を行う場合の例である。モニタ４０の表示領域を縦５、横８の小領域１３８に分割し、それぞれの小領域１３８の白黒、あるいは色により情報を表示する。白と黒の場合は４０ビット、カラーの場合は３色であれば３値デジタルコードとして更に多くの情報を表現できる。また、色情報に加えて記号を重ねたり、右下の小領域１３８Ａのように画像１２２を重ねて表示することも出来る。複数画面の順次表示により情報量を増やすことが出来る。
【０１２１】
以上の情報表示は、一画面に限らず違う情報の順次表示や動画的な表示でも良い。
【０１２２】
図２１は、認証情報の解析について説明するためのフローチャートを示す図である。これは、図１０のステップＳ２０４で実行される認証情報の解析処理の具体的なステップに相当する。
【０１２３】
即ち、撮影された認証情報は、色情報の解析、明るさに関するヒストグラム解析、２値化、エッジの抽出、などの画像処理が施された後（ステップＳ２０４Ａ）、取得画像の分析処理が行われる（ステップＳ２０４Ｂ）。この分析処理は、画像の中にどのような種類の情報が含まれているか、記号等のパターン認識あるいはマッチング、バーコード及び２次元コードのデコード、濃淡あるいは色情報によるデジタル情報の解析等を行うものである。そして、その分析の結果、所定の認証情報の表示ルールに則った情報が含まれているかを判定し（ステップＳ２０４Ｃ）、ルールに該当する認証情報を抽出する（ステップＳ２０４Ｄ）。
【０１２４】
次に、動画による連続解析を説明する。図２２は、第１の撮像機器１１０が動画撮影状態Ｊ２で、第２の撮像機器１１２が順次表示している認証情報を連続して撮影した場合の内蔵メモリ７４または着脱メモリ７６（以下、単にメモリ１４０と記す）に記憶された画像群を模式的に示す図である。
【０１２５】
第２の撮像機器１１２が認証情報Ａ，Ｂ，Ｃの３枚の画像を順次モニタ４０に表示して、第１の撮像機器１１０が動画で撮影した場合、第１の撮像機器１１０のメモリ１４０に記憶される画像情報は、静止画の連続でもある。模式的には、この静止画の連続の中で、認証情報画像１４２Ａが表示される前の画像、例えばメニュー選択画像などの前画像１４４があり、その後に、認証情報画像１４２Ａが続き、次は画像の切り替わりのブランクあるいは意味無し画像が続き、認証情報画像１４２Ｂが続いた後、再びブランクあるいは意味無し画像が続き、認証情報画像１４２Ｃが続く。
【０１２６】
認証情報表示の切り替え時には、ブランクではなく特定の画像、例えば全画面赤色のように容易に判別できる仕切画像を挟んでも良い。認証情報の解析時には、この画像群の内容分析により認証情報を持った画像を判別する。
【０１２７】
図２３は、動画による連続解析の他の方法の説明図である。図２２では、動画の全ての画像を解析する場合を説明したが、毎秒３０フレームの動画撮影、例えばモーションＪＰＥＧで撮影した場合、毎秒３０枚の静止画を解析することになり、処理量は膨大になる。そこで、第１の撮像機器１１０で撮影した動画が静止画の連続であることに着目して、第２の撮像機器１１２が表示する認証情報の表示切り替えのタイミング及び表示時間を考慮して、認証情報の撮影漏れが無い程度の間隔で画像をサンプリングして、そのサンプリングした画像（サンプリング画像１４６）を解析することにより、処理する情報量を少なくすることが出来る。
【０１２８】
図２４は、画像の加工について説明するためのフローチャートを示す図である。図１２を参照して説明したように、上記ステップＳ２１２で第１の撮像機器１１０が送信先の選択及び送信画像の選択を行った後、上記ステップＳ２１４で認証情報の読出しと送信画像の加工を行って、上記ステップＳ２１６で加工画像の送信を行うという画像送信手順となっている。上記ステップＳ２１４においては、図２４に示すように、まず、認証情報の読出しを行った後（ステップＳ２１４Ａ）、画像の加工を行う（ステップＳ２１４Ｂ）。
【０１２９】
上記ステップＳ２１４Ｂの画像の加工処理としては、加工方法の選択、画像の加工、画像以外の付加情報追加、送信データ作成、などが行われる。
【０１３０】
加工方法の選択は、撮像機器の仕様によって予め決まった方式、あるいは認証情報の撮影の際に加工方式も併せて取得される場合などがある。
【０１３１】
加工方法は、認証情報を用いた暗号化、あるいは認証情報で指定されたアルゴリズムに基づく画像データの変換などが用いられる。認証情報を用いた暗号化の例として、認証情報に暗号キーを含ませておき、米国の暗号標準であるＤＥＳ（Data Encryption Standard）、あるいはＡＥＳ（Advanced Encryption Standard）等により暗号化を行うことが出来る。また、認証情報で指定されたアルゴリズムに基づく画像データの変換を用いる場合は、各画素の値のＭＳＢ（Most Significant Bit）とＬＳＢ（Least Significant Bit）を入れ替える、あるいは、画素の値を他の位置の画素の値と乱数表を用いて入れ替える、など簡単な方法でも、送信する画像の重要度が比較的軽い場合は目的を達成することが出来る。どの程度の暗号化、あるいは画像の変換を行うかは、撮像機器のＣＰＵや暗号化回路の性能、使用できるメモリの容量、通信速度などと、盗聴リスクの大小や画像の重要度に応じて決めると良い。
【０１３２】
付加情報の追加は、画像に関する付加情報、例えば撮影日時や撮影場所など、送信データのエラー訂正情報、画像データの再生が正しく行われたかを検証するためのハッシュ値、などが用いられる。
【０１３３】
送信データ作成は、上記のようにした加工され付加情報が追加された画像を送信のための所定のフォーマットに整えた送信データとするものである。
【０１３４】
次に、通信部を説明する。  
図２５（Ａ）は、図４のブロック図中の電波通信部７８の具体例を示す図である。無線ＬＡＮ方式の一つである、ＩＥＥＥ８０２．１１ｂを用いる場合、市販の無線ＬＡＮモジュール、例えば、シャープ株式会社製ＤＣ２Ｊ１ＤＺ１２０を使用すると、電波通信部７８は、ベースバンドＩＣ７８Ａと、無線ＩＣ７８Ｂとで構成することが出来る。
【０１３５】
図２５（Ｂ）は、図４のブロック図中の光通信部８２の具体例を示す図である。光通信方式の一つである、ＩｒＤＡを用いる場合、光通信部８２は、ＩｒＤＡコントローラ８２ＡとＩｒＤＡモジュール８２Ｂとで構成される。例えば、市販のモジュールとして、ＩｒＤＡコントローラ８２Ａをローム株式会社製ＢＵ９２００４ＫＳ、ＩｒＤＡモジュール８２Ｂをローム株式会社製ＩｒＤＡ赤外線通信モジュールＲＰＭ９７１−Ｈ１４で構成することが出来、その場合、通信速度は最大で４Ｍビット／秒までの通信が出来る。
【０１３６】
次に、認証情報を画像加工のための暗号キーとして用いる場合の処理の流れを説明する。
【０１３７】
図２６は、認証情報を秘密鍵に用いる場合を説明するためのフローチャート示す図である。図１０を参照して説明したように、第２の撮像機器１１２が認証情報を表示し（ステップＳ２００）、第１の撮像機器１１０が認証情報の撮影を行い（ステップＳ２０２）、認証情報の解析（ステップＳ２０４）と認証情報取得の確認を行い（ステップＳ２０６）、認証情報の表示と記憶を行う（ステップＳ２０８）。
【０１３８】
上記ステップＳ２０４の認証情報の解析を更に３ステップに分けると、図２６に示すように、撮影した画像の画像処理、濃淡分析、色分析を行うステップ（ステップＳ２０４Ａ）、画像に含まれるパターンの分析を行うパターン認識ステップ（ステップＳ２０４Ｂ）、処理された情報の中に認証情報に該当する情報が含まれているか解析する認証情報マッチングと抽出ステップ（ステップＳ２０４Ｃ）、などで構成される。
【０１３９】
また、画像の送信は、図２４を参照して説明したように、送信先の選択と送信画像の選択（ステップＳ２１２）、認証情報の読出しを行って（ステップＳ２１４Ａ）、送信画像の加工を行い（ステップＳ２１４Ｂ）、加工画像を送信する（ステップＳ２１６）。この送信画像の加工（ステップＳ２１４Ｂ）を、第２の撮像機器１１２より取得した認証情報に含まれる秘密鍵あるいは認証情報に基づく暗号化のための情報、例えば暗号化方式や暗号キーの算出方法などによって暗号化を実施する。
【０１４０】
第２の撮像機器１１２は、第１の撮像機器１１０より送信された加工画像を受信し、該当する認証情報を確認し（ステップＳ２１８）、該当する秘密鍵あるいは暗号キーの算出を行い画像を復号化して再生し（ステップＳ２２０）、画像の保存、表示を行う（ステップＳ２２２）。
【０１４１】
図２７は、認証情報に公開鍵を用いる場合を説明するためのフローチャートを示す図である。この例では、図２６とは反対に、第１の撮像機器１１０が認証情報を表示し、第２の撮像機器１１２が画像を送信する場合である。
【０１４２】
即ち、第１の撮像機器１１０が秘密鍵と公開鍵のペアを作成し（ステップＳ２２４）、作成した公開鍵を含む認証情報を表示する（ステップＳ２２６）。
【０１４３】
第２の撮像機器１１２は、その第１の撮像機器１１０が表示した認証情報を撮像し（ステップＳ２２８）、認証情報と公開鍵の再生と記憶を行う（ステップＳ２３０）。その後、画像を送信する際には、送信先の選択として第１の撮像機器１１０を選び、送信する画像の選択を行う（ステップＳ２３２）。そして、上記記憶した公開鍵を読出し（ステップＳ２３４）、その公開鍵で送信する画像を暗号化して（ステップＳ２３６）、暗号化結果としての加工画像を送信する（ステップＳ２３８）。
【０１４４】
第１の撮像機器１１０は、上記加工画像を受信し、公開鍵を確認し（ステップＳ２４０）、対応する秘密鍵で受信画像を復号化して再生し（ステップＳ２４２）、その再生した画像の保存と表示を行う（ステップＳ２４４）。
【０１４５】
ここで公開鍵を使うメリットは、公開鍵で暗号化された画像を復号化できるのは、ペアの秘密鍵を持っている撮像機器だけであるので、大勢の人からの画像を受信する場合に、秘密鍵を配って行う場合は人数分の秘密鍵を秘密裏に配りかつ管理しなければならない煩雑さがあるが、公開鍵の場合は公開鍵を一つを受け渡しておき、公開鍵で暗号化された画像を秘密に管理してある秘密鍵で復号化すれば良いので、取り扱いが容易であるということである。勿論、公開鍵で暗号化された画像を第三者が傍聴しても秘密鍵を持っていないので復号化することは出来ない。
【０１４６】
次に、認証情報に、撮像機器が撮像した画像を利用する場合を説明する。  
図２８（Ａ）は、撮像機器が撮像して、メモリ１４０に保存してある画像群を模式的に表した図で、メモリ１４０に画像１２２Ａ，１２２Ｂ，１２２Ｃ，１２２Ｄ，１２２Ｅ，１２２Ｆのように記憶されているとする。図１７（Ａ）を例にとると、認証情報としてモニタ４０に、画像１２２、相手の識別符号１２４、相手のアドレス１２６、認証情報の有効期限１２８、暗号化用の情報１３０などを表示している。上記画像１２２として撮像機器のメモリ１４０に保存されている画像１２２Ａを用いて認証情報１１４の一部とする。この画像１２２Ａには、目視で相手が識別できる顔写真やシンボルマークなどが便利である。例えば、あるパーティでその日の共通の画像を決めて参加者が各自の撮像機器で撮影しておき、画像交換の際の認証情報の一部として用いることにより、参加者であることが直感的に把握できる。あるいは、事前に参加者のみに特定の情報や画像を送信して、参加者は自身の撮像機器のメモリにダウンロードしておき、参加して認証情報として使用することも出来る。図２８（Ｂ）は、図２８（Ｃ）の文字情報も含めて画像１２２Ａを表示した例である。
【０１４７】
次に、上記ステップＳ２００の認証情報の表示での画像の表示において、複数の静止画を認証情報として表示する場合について説明する。
【０１４８】
モニタ４０に、図２９に示すように、まず画像１２２Ｇを表示し、次に画像１２２Ｈを表示し、次に画像１２２Ｉを表示する。一例として、画像１２２Ｇは撮像機器が撮影した持ち主の画像、画像１２２Ｈは認証情報のうちの文字情報、画像１２２Ｉはカラーコードを用いたマトリックス画像として横６、縦５の小領域１番（小領域１３８−１）から小領域３０番（小領域１３８−３０）の３０分割された表示領域を用いる、あるいはバーコードなどのコード化された情報、のように性質の揃った画像を順次表示しても良い。表示方法としては、一枚を一定時間表示して次の画像を表示する場合、あるいは一枚表示してＯＫボタンが押されるなど切り替え指示があった場合に次の画像を表示することもできる。前者は取得する側が動画撮影の場合に向いており、後者は静止画撮影の場合に向いている。
【０１４９】
図３０は、動画撮影状態Ｊ２で認証情報を取得する場合の説明図である。図２９で説明したように、認証情報を複数の静止画で順次表示し、撮像機器で動画として撮影した場合の模式図である。
【０１５０】
認証情報１１４Ａ，１１４Ｂ，１１４Ｃを撮影した画像がメモリ１４０に蓄積され、それら認証情報画像１４２Ａ，１４２Ｂ，１４２Ｃが画像切替部分１４８と共に記録される。認証情報の表示が間をおかずにされる場合は、画像切替部分１４８は１フレームあるいは２フレーム程度の短いものとなる。
【０１５１】
次に、認証情報を共有する場合を説明する。  
まず、図３１（Ａ）に示すように、第２の撮像機器１１２がモニタ４０に表示した認証情報を第１の撮像機器１１０が撮像する。次に、図３１（Ｂ）では、第１の撮像機器１１０が撮像した認証情報をモニタ４０に表示し、第２の撮像機器１１２が撮像する。そして、第２の撮像機器１１２が撮像した認証情報を自身が表示した認証情報と比較して、同一あるいは許容範囲内であれば、その認証情報を第１の撮像機器１１０と第２の撮像機器１１２の共通の認証情報として用いる。
【０１５２】
これは、合言葉のようなものであり、送信先のアドレスなどはそれぞれ相手のものを用いるが、画像を加工するための情報は共通化しておく場合に便利である。その場限りの、あるいはその日限りの認証情報として使う場合など、また多くの人で共有化して用いる場合に便利である。
【０１５３】
図３２は、第１の撮像機器１１０が表示する複数の認証情報を、複数（この例では３つ）の第２の撮像機器１１２（第２の撮像機器１１２Ａ，１１２Ｂ，１１２Ｃ）が撮像する場合の説明図である。
【０１５４】
第１の撮像機器１１０の表示した第２の撮像機器１１２Ａ用の認証情報を第２の撮像機器１１２Ａが撮像して、次に第１の撮像機器１１０は第２の撮像機器１１２Ｂ用の認証情報を表示して第２の撮像機器１１２Ｂが撮影し、次に第１の撮像機器１１０は第２の撮像機器１１２Ｃ用の認証情報を表示して第２の撮像機器１１２Ｃが撮影する。この後、第２の撮像機器１１２Ａ，１１２Ｂ，１１２Ｃはそれぞれ受信した認証情報を用いて画像を加工して第１の撮像機器１１０に送信する。
【０１５５】
このように、撮像機器ごとに異なった認証情報を受け渡しておくことにより、異なった撮像機器から送信されてくる画像情報を容易に識別することが出来る。
【０１５６】
次に、図３２の説明に加えて画像送受信も含めた手順を説明する。  
図３３（Ａ）に示すように、第１の撮像機器１１０の表示する認証情報を、第２の撮像機器１１２Ａ，１１２Ｂ，１１２Ｃが順次撮影し、図３３（Ｂ）に示すように、それぞれ認証情報画像１４２ａ、認証情報画像１４２ｂ、認証情報画像１４２ｃをそれぞれで取得しモニタ４０に表示するとともに、認証情報を抽出する。次に、この抽出した認証情報を用いて画像を加工し第１の撮像機器１１０にそれぞれ送信する。
【０１５７】
図３４は、第２の撮像機器１１２Ａ，１１２Ｂ，１１２Ｃが送信する場合のフォーマットの例を示す図である。ヘッダ１５０Ａ，１５０Ｂ，１５０Ｃ、認証情報１５２Ａ，１５２Ｂ，１５２Ｃ、送信画像１５４Ａ．１５４Ｂ，１５４Ｃなどで構成される。なお、認証情報１５２Ａ，１５２Ｂ，１５２Ｃは送信側の認証情報であり、第１の撮像機器１１０が第２の撮像機器１１２Ａ，１１２Ｂ，１１２Ｃからの情報であることを確認するためのものであるが、ヘッダ１５０Ａ，１５０Ｂ，１５０Ｃのみでも良い。
【０１５８】
図３５（Ａ）は、第１の撮像機器１１０が、第２の撮像機器１１２Ａ，１１２Ｂ，１１２Ｃから受信した画像を再生して表示する場合の表示例を示す図である。モニタ４０に、まず第２の撮像機器１１２Ａから受信した受信画像１５６Ａを表示し、次に第２の撮像機器１１２Ｂから受信した受信画像１５６Ｂを表示し、次に第２の撮像機器１１２Ｃから受信した受信画像１５６Ｃを表示することが出来る。あるいは、図３５（Ｂ）に示すように、受信画像１５６Ａ，１５６Ｂ，１５６Ｃをそれぞれ縮小して、縮小画像１５８Ａ，１５８Ｂ，１５８Ｃとして一画面の表示にしても良い。
【０１５９】
なお、第２の撮像機器１１２Ａ，１１２Ｂ，１１２Ｃの通信先アドレスなどはそれぞれ異なるが、認証情報の一部、例えば暗号キーは同じでも良い。
【０１６０】
以上、図３２乃至図３５（Ｂ）で説明した方法により、撮影会での生徒たちの作品を先生の第１の撮像機器１１０に集めて評価したり、パーティ会場で参加者に異なった認証情報を受け渡しておき、会場で撮影された画像を第１の撮像機器１１０に集める場合などに便利である。
【０１６１】
図３６は、図３５（Ａ）及び（Ｂ）で説明したような受信画像の表示を、第１の撮像機器１１０のモニタ４０に表示するだけではなく、別の表示機器に表示する例を示す図である。
【０１６２】
第１の撮像機器１１０のモニタ４０としては数インチの液晶表示が用いられており、大勢で同時に見るには小さい。そこで、第１の撮像機器１１０で受信した画像を、大型テレビモニタなどの大画面表示装置１６０に通信手段１６２で送信して供覧することが出来る。また、中型のモニタを有するパソコンのモニタに通信手段１６２で送信して、画像１６４Ａ，１６４Ｂ，１６４Ｃとして順次表示することも出来る。パーティの会場などで参加者が撮影した画像を大画面に写して楽しむ場合などに好適である。なお、第１の撮像機器１１０はデジタルカメラとは限らず、携帯電話など撮像機能と通信機能を有する機器であれば利用できる。
【０１６３】
次に、第２の撮像機器１１２が複数の第１の撮像機器１１０に画像を送信するために、複数の第１の撮像機器１１０の認証情報を取得して、それぞれに画像を送信する場合を説明する。
【０１６４】
図３７（Ａ）では、第２の撮像機器１１２は、第１の撮像機器１１０Ａ，１１０Ｂ，１１０Ｃが表示する認証情報を取得する。その後、図３７（Ｂ）に示すように、取得した認証情報画像１４２ａ，１４２ｂ，１４２ｃをモニタ４０に表示すると共に、認証情報を抽出して記憶する。そして、それら取得した認証情報を用いて、第１の撮像機器１１０Ａ，１１０Ｂ，１１０Ｃに送信する画像を加工して、図３８に示すような送信データフォーマットに従った送信データ１６６Ａ，１６６Ｂ，１６６Ｃを作成して、第１の撮像機器１１０Ａ，１１０Ｂ，１１０Ｃに送信する。
【０１６５】
図３９（Ａ）は、第２の撮像機器１１２より、第１の撮像機器１１０Ａ，１１０Ｂ，１１０Ｃへの画像送信を、電波により行う場合を模式的に示した図である。図３９（Ｂ）に示すように、第１の撮像機器１１０Ａ，１１０Ｂ，１１０Ｃは、アンテナ３８で受信した受信画像１５６Ａ，１５６Ｂ，１５６Ｃを再生して、それぞれのモニタ４０に表示する。
【０１６６】
図４０は、複数の撮像機器の間で認証情報を交換し、画像を交換する場合の説明図である。撮像機器１６８Ａ，１６８Ｂ，１６８Ｃは、第１の撮像機器１１０及び第２の撮像機器１１２の何れとしても機能する。即ち、同図に実線矢印で示すように、撮像機器１６８Ａ，１６８Ｂ，１６８Ｃはそれぞれ認証情報を取得する。画像送信の際は、相手の認証情報を用いて画像を加工して送信する。このようにして、複数の撮像機器間で画像の交換が安全に出来る。例えば、複数人で旅行に出かける際に認証情報を交換しておき、相手のカメラで撮った自分の画像を送って貰う場合、自分が撮りそびれた景色の画像を送って貰う場合、自分のカメラより性能の良いカメラで撮影された画像を送って貰う場合、などに便利である。
【０１６７】
画像の交換は、画像のサイズなどの調整や変換が必要な場合は、認証情報に付帯情報としてカメラ性能等に関する情報も含めておくと便利である。
【０１６８】
なお、一時的な画像の交換のみを行う場合は、交換する認証情報に有効期限を例えば旅行期間中に限るというように設けておくことが望ましい。
【０１６９】
図１７（Ａ）を例にとると、認証情報の表示画面に、有効期限１２８が表示されている。図４１に示すように、送信先選択と送信画像を選択して（ステップＳ２１２）、認証情報を読み出した時に（ステップＳ２１４Ａ）、この有効期限を確認し（ステップＳ２４６）、期限内の場合のみ、その認証情報を使用して画像を加工し（ステップＳ２１４Ｂ）、加工画像を送信する（ステップＳ２１６）。これに対して、有効期限内でない場合には、モニタ４０、あるいはスピーカ６４、あるいは発光素子２０などに警報を出力する（ステップＳ２４８）。
【０１７０】
次に、送信先の選択を、認証情報を表示して選択する場合について説明する。  
即ち、図４２に示すように、モニタ４０に認証情報１５２ａ，１５２ｂ，１５２ｃ，…を順次表示して選択する。この場合、認証情報１５２ａ，１５２ｂ，１５２ｃ，…に送信先の判別が容易な画像や色が含まれていると選択し易い。
【０１７１】
また、図４３に示すように、モニタ４０に認証情報１５２を複数表示して選択するようにしても良い。画像に特徴がある場合、例えば送信先の人の顔写真やシンボルマークなどが表示されていると選び易い。  
特に、初対面の人もいるパーティや、写真教室、あるいは旅行などの際は便利である。
【０１７２】
なお、図１（Ｂ）のモニタ４０には、液晶表示器が用いられることが多い。液晶表示器の場合、表示のためのバックライトに要する電力は明るくするほど大きくなる傾向にあり、乾電池あるいは充電電池のように限られた電力の電源では、モニタ４０の明るさを上げると電池寿命は短くなるという相反する関係にある。一方、認証情報をモニタ４０に表示し他の撮像機器がその表示された認証情報を撮像することにより認証情報を受け渡す場合は、モニタ４０を出来るだけ明るくして認証情報の撮影を容易に行えるようにしておきたい。
【０１７３】
そこで、主制御部８０は、認証情報以外の画像やメニューの表示を行う際には、表示制御部１０４により、モニタ４０の明るさを所定の明るさとなるように制御させておく。この所定の明るさは、メニューボタン４６の操作により上記ステップＳ１２６で設定できる。そして、上記ステップＳ１４８で認証情報を表示する場合は、表示制御部１０４により、モニタ４０の表示の明るさを明るくするように制御させることにより、認証情報の撮像を容易にすることができる。認証情報の受け渡しは、比較的短時間で済むので、認証情報の表示の際に明るさを上げても、電池の消耗への影響は少なくて済む。
【０１７４】
以上のように、本発明の一実施形態によれば、撮像機器間で無線により画像を交換する際に、画像情報を加工しておき、そのまま傍受されても加工方法や加工に用いた値などが分からないと再生できないようにすること、また、画像の送受信手段とは別の撮像機器の撮像手段により取得した認証情報を、上記値として用いて画像加工を行うことや、送信先の確認等を行うように構成することにより、操作容易でかつ安全な画像の交換を行うことができる。例えば、加工方法を暗号化とした場合、暗号キーを含む認証情報を撮像機器のモニタに表示し、他の撮像機器が直接撮影することにより認証情報を安心して受け渡すことで、相手先への鍵配送を至近距離で行い、例え汎用性のある画像送受信手段を用いて仮に傍受されていても安全に画像を送信できるようになる。
【０１７５】
以上、一実施形態に基づいて本発明を説明したが、本発明は上述した一実施形態に限定されるものではなく、本発明の要旨の範囲内で種々の変形や応用が可能なことは勿論である。
【０１７６】
例えば、複数の第２の撮像機器として２つまたは３つの場合を例に説明したが、それ以上であっても構わない。
【０１７７】
また、送信データフォーマットとして、認証情報をヘッダと送信画像とは別に示したが、認証情報をヘッダの一部としたり、送信画像に埋め込むようにしても良い。
【０１７８】
（付記）
前記の具体的実施形態から、以下のような構成の発明を抽出することができる。
【０１７９】
（１）  撮像機器間で無線による画像の送受信を行うことが可能な撮像システムにおける上記撮像機器であって、
上記画像の送受信を行う画像送受信手段と、
上記画像を受信する側の撮像機器が、上記画像を送信する側の撮像機器の認証を行うための認証情報を表示する認証情報表示手段と、
上記画像を受信する側の撮像機器の上記認証情報表示手段で表示された上記認証情報を撮像する撮像手段と、
上記撮像手段で撮像された上記認証情報を用いて、上記画像を受信する側の撮像機器に対して送信する画像の加工を行う加工手段と、
上記画像を送信する側の撮像機器から送信された画像を元の画像に復元する復元手段と、
を具備することを特徴とする撮像機器。
【０１８０】
（実施形態との対応）
発光素子２４及び受光素子２６と光通信部８２、アンテナ３８と電波通信部７８が上記画像送受信手段に、第１の撮像機器１１０、１１０Ａ〜１１０Ｃ、１６８Ａ〜１６８Ｃが上記画像を受信する側の撮像機器に、第２の撮像機器１１２、１１２Ａ〜１１２Ｃ、１６８Ａ〜１６８Ｃが上記画像を送信する側の撮像機器に、モニタ４０、発光表示素子５４、発光表示器５６、表示制御部１０４が上記認証情報表示手段に、レンズ部１４、撮像素子７０が上記撮像手段に、情報加工部８０Ｂが上記加工手段に、主制御部８０が上復元手段に、それぞれ対応する。
【０１８１】
（作用効果）
この（１）に記載の撮像機器によれば、画像送受信のための画像送受信手段とは別の認証情報表示手段が表示した認証情報を直接撮像することにより、画像送受信手段が傍受されていても安全に認証情報を取得でき、なおかつ取得した認証情報を用いて上記画像送受信手段により送受信する画像情報を加工して送信することにより、撮像機器間で安全にかつ容易に画像の交換を行うことができる。
【０１８２】
（２）  上記認証情報表示手段は、上記撮像機器の画像表示手段であることを特徴とする（１）に記載の撮像機器。
【０１８３】
（実施形態との対応）
モニタ４０が上記画像表示手段に対応する。
【０１８４】
（作用効果）
この（２）に記載の撮像機器によれば、更に、認証情報出力手段として、撮像機器の画像表示手段を用いることにより、画像交換を行う者同士が、対面状態で直接認証情報を目視確認することが出来るので、第三者に盗み見られることなく安全な認証情報の取得が出来る。
【０１８５】
（３）  上記認証情報表示手段は、上記撮像機器の発光手段であることを特徴とする（１）に記載の撮像機器。
【０１８６】
（実施形態との対応）
発光表示素子５４、発光表示器５６が上記発光手段に対応する。
【０１８７】
（作用効果）
この（３）に記載の撮像機器によれば、認証情報出力手段として、撮像機器の発光手段を用いることにより、光の直進性などの特性を利用して、認証情報を発信する領域を限定することが出来るので、第三者に盗用される恐れをなくして、安全な認証情報の取得が出来る。
【０１８８】
（４）  上記認証情報表示手段は、上記画像表示手段の表示領域を複数に分割し、上記複数に分割された領域内は同じ色情報を表示することを特徴とする（２）に記載の撮像機器。
【０１８９】
（実施形態との対応）
図１９（Ａ）及び（Ｂ）、図２０が対応する。
【０１９０】
（作用効果）
この（４）に記載の撮像機器によれば、認証情報出力手段として、上記画像表示手段の表示領域を複数に分割し、上記複数に分割された領域内は同じ色情報を表示することにより、画像表示手段の性能、あるいは撮像手段の性能が低い機器の場合でも、認証情報として必要な情報量を交換することが出来るので、簡単で安全な認証情報の取得が出来る。
【０１９１】
（５）  上記認証報は、縞模様のコード化された色情報であることを特徴とする（４）に記載の撮像機器。
【０１９２】
（実施形態との対応）
図１９（Ａ）及び（Ｂ）が対応する。
【０１９３】
（作用効果）
この（５）に記載の撮像機器によれば、上記認証情報として、縞模様のコード化された色情報を用いることにより、解像度の低いあるいは画像歪が大きい機器の場合でも、色情報を利用して判別性能を確保することにより、認証情報として必要な情報量を交換することが出来るので、簡単で安全な認証情報の取得が出来る。
【０１９４】
（６）  上記認証情報は、マトリックス模様のコード化された色情報であることを特徴とする（４）に記載の撮像機器。
【０１９５】
（実施形態との対応）
図２０が対応する。
【０１９６】
（作用効果）
この（６）に記載の撮像機器によれば、上記認証情報として、マトリックス模様のコード化された色情報を用いることにより、解像度の低いあるいは画像歪が大きい機器の場合でも、色情報を利用して判別性能を確保することにより、認証情報として十分な情報量を交換することが出来るので、簡単で安全な認証情報の取得が出来る。
【０１９７】
（７）  上記認証情報は、自身の属性に関する情報を含むことを特徴とする（１）に記載の撮像機器。
【０１９８】
（実施形態との対応）
図１７（Ａ）乃至図１９（Ｂ）が対応する。
【０１９９】
この（７）に記載の撮像機器に関する実施形態は、第実施形態が対応する。
【０２００】
（作用効果）
この（７）に記載の撮像機器によれば、上記認証情報として、自身の属性に関する情報を含ませることにより、例えば、縮小した顔画像で顔の識別には十分なレベルの画像を用いることにより、誰の認証情報であるか直感的に把握でき、送信されて来た情報の取り扱いが容易に出来、また簡単で安全な認証情報の取得が出来る。
【０２０１】
（８）  上記認証情報は、自身の無線通信に関する属性情報を含むことを特徴とする（７）に記載の撮像機器。
【０２０２】
（実施形態との対応）
図１７（Ａ）、図１７（Ｃ）、図１８（Ａ）乃至図１９（Ｂ）が対応する。
【０２０３】
（作用効果）
この（８）に記載の撮像機器によれば、上記認証情報として、自身の無線通信に関する属性情報を含ませることにより、例えば、受信アドレスや通信設定に関する情報を用いるにより、送信先の設定と送受信手順や条件の設定を自動化あるいは簡単化でき、容易で安全な画像の送信が出来る。
【０２０４】
（９）  上記認証情報は、当該撮像機器の使用者の個人情報を含むことを特徴とする（７）に記載の撮像機器。
【０２０５】
（実施形態との対応）
図１７（Ａ）、図１８（Ａ）乃至（Ｃ）、図１９（Ｂ）、図２０が対応する。
【０２０６】
（作用効果）
この（９）に記載の撮像機器によれば、上記認証情報として、当該撮像機器の使用者の個人情報を含ませることにより、例えば、氏名やニックネームあるいは顔写真などを用いることにより、直感的に相手を識別することが出来るので、容易で安全な画像の送信が出来る。
【０２０７】
（１０）  上記認証情報表示手段は、上記画像表示手段の一部に、上記認証情報を表示した撮像機器が判別できる情報を表示する手段を有することを特徴とする（２）に記載の撮像機器。
【０２０８】
（実施形態との対応）
識別符号１２４が上記認証情報を表示した撮像機器が判別できる情報に対応する。
【０２０９】
（作用効果）
この（１０）に記載の撮像機器によれば、上記認証情報表示手段として、上記画像表示手段の一部に認証情報を出力した撮像機器が判別できる情報を表示する手段を設けることにより、視認により直感的に相手を識別することが出来るので、容易で安全な画像の送信が出来る。
【０２１０】
（１１）  上記画像送受信手段は、電波或いは光を用いた通信手段であることを特徴とする（１）に記載の撮像機器。
【０２１１】
（実施形態との対応）
発光素子２４及び受光素子２６と光通信部８２、アンテナ３８と電波通信部７８が上記通信手段に対応する。
【０２１２】
（作用効果）
この（１１）に記載の撮像機器によれば、上記画像送受信手段として、電波或いは光を用いた通信手段を用いることにより、本方式を採用する撮像機器の特徴に合わせ画像通信ができる。
【０２１３】
（１２）  上記加工手段は、上記認証情報を暗号キーとして用いることを特徴とする（１）に記載の撮像機器。
【０２１４】
（実施形態との対応）
図２６が対応する。
【０２１５】
（作用効果）
この（１２）に記載の撮像機器によれば、上記加工手段として、上記認証情報を暗号キーとして用いることにより、画像通信路とは別チャネルで暗号化のキーの受け渡しが確実に出来るので、容易で安全な画像の送信が出来る。
【０２１６】
（１３）  上記加工手段は、上記認証情報を公開鍵として用いることを特徴とする（１）に記載の撮像機器。
【０２１７】
（実施形態との対応）
図２７が対応する。
【０２１８】
（作用効果）
この（１３）に記載の撮像機器によれば、上記加工手段として、上記認証情報を公開鍵として用いることにより、暗号キー自身は公然と受け渡しが出来るので、混雑している会場などでも、操作容易でなおかつ安全な認証情報及び画像の送受信が出来る。
【０２１９】
（１４）  上記認証情報は、上記認証情報表示手段に表示するより以前に、当該撮像機器により撮影された画像を含むことを特徴とする（１）に記載の撮像機器。
【０２２０】
（実施形態との対応）
図２８（Ａ）乃至（Ｃ）が対応する。
【０２２１】
（作用効果）
この（１４）に記載の撮像機器によれば、上記認証情報として、認証情報表示手段に表示するより以前に当該撮像機器で撮影した画像を含めることにより、例えばそれぞれのカメラがそれぞれ撮ったユニークな画像、あるいはあるグループに属するカメラでは同一の被写体を撮影した画像、を用いることにより、場面に合った認証情報を使用でき、操作容易でなおかつ安全な画像の送受信が出来る。
【０２２２】
（１５）  上記認証情報は、上記認証情報表示手段に表示する際に、連続した複数の静止画として表示されることを特徴とする（１）に記載の撮像機器。
【０２２３】
（実施形態との対応）
図２９が対応する。
【０２２４】
（作用効果）
この（１５）に記載の撮像機器によれば、上記認証情報として、上記認証情報表示手段に表示する際に、連続した複数の静止画として出力することにより、例えば性質の異なった画像群を用いて相手の特定がし易い個人情報と秘匿性の高いランダム情報を組み合わせることが出来る。また、解像度の低い機器でも、複数枚の静止画を用いることにより認証情報として十分な情報量を得ることが出来る。よって、操作容易でなおかつ安全な画像の送受信が出来る。
【０２２５】
（１６）  上記撮像機器は、上記認証情報を撮像する際に、動画撮影状態で撮像することを特徴とする（１）に記載の撮像機器。
【０２２６】
（実施形態との対応）
図３０が対応する。
【０２２７】
（作用効果）
この（１６）に記載の撮像機器によれば、上記撮像機器が上記認証情報を撮像する際に、動画撮影状態で撮像することにより、相手機器が複数の連続した静止画を表示した場合でもその都度シャッタスイッチを押す煩わしさが無く、また、取りこぼしも防げるので、認証情報を確実に取得することが出来る。
【０２２８】
（１７）  上記画像を受信する側の撮像機器である第１の撮像機器が表示した認証情報を、上記画像を送信する側の撮像機器である第２の撮像機器が撮像した後、当該撮像した認証情報を上記第２の撮像機器の認証情報表示手段に表示し、上記第１の撮像機器の撮像手段で撮像して、上記第１の撮像機器が表示した認証情報と撮像した認証情報とが一致した時には、上記第１の撮像機器と上記第２の撮像機器で共有の認証情報として用いることを特徴とする（１）に記載の撮像機器。
【０２２９】
（実施形態との対応）
図３１（Ａ）及び（Ｂ）が対応する。
【０２３０】
（作用効果）
この（１７）に記載の撮像機器によれば、第１の撮像機器が出力した認証情報を、第２の撮像機器が撮像した後、第２の撮像機器の認証情報出力手段に出力し、第１の撮像機器の撮像手段で撮像して確認することにより、両者間の認証情報の受け渡しが確実に出来たかどうかを検証することが出来る。また、一致した認証情報を両者の共有の認証情報として使用することが出来る。よって、操作容易でなおかつ安全な画像の送受信が出来る。
【０２３１】
（１８）  上記画像を受信する側の撮像機器である第１の撮像機器は、上記認証情報を複数有し、上記画像を送信する側の撮像機器である第２の少なくとも２台の撮像機器に対して異なった認証情報を表示することを特徴とする（１）に記載の撮像機器。
【０２３２】
（実施形態との対応）
図３２が対応する。
【０２３３】
（作用効果）
この（１８）に記載の撮像機器によれば、第１の撮像機器が認証情報を複数用意して、第２の撮像機器の少なくとも２台に対して異なった認証情報を出力することにより、複数の相手機器に対して認証情報を使い分けることが出来るので、相手の識別が容易でかつ安全な画像の送受信が出来る。
【０２３４】
（１９）  上記第２の撮像機器は、上記第１の撮像機器より取得した認証情報を用いて画像を加工したのち上記第１の撮像機器に画像を送信し、
上記第１の撮像機器は上記複数の第２の撮像機器より受信した画像を画像表示手段に表示することを特徴とする（１８）に記載の撮像機器。
【０２３５】
（実施形態との対応）
図３３（Ａ）乃至図３５（Ｂ）が対応する。
【０２３６】
（作用効果）
この（１９）に記載の撮像機器によれば、上記第２の撮像機器は、上記第１の撮像機器より取得した認証情報を用いて画像を加工したのち上記第１の撮像機器に画像を送信し、上記第１の撮像機器は上記複数の第２の撮像機器より受信した画像を画像表示手段に表示することにより、複数の相手機器より送られてくる画像の識別が容易でかつ安全な画像の取得が出来る。
【０２３７】
（２０）  上記第１の撮像機器は、上記複数の第２の撮像機器より受信した画像を、上記第１の撮像機器の画像表示手段とは別の表示手段に表示することを特徴とする（１８）に記載の撮像機器。
【０２３８】
（実施形態との対応）
大画面表示装置１６０が上記別の表示手段に対応する。
【０２３９】
（作用効果）
この（２０）に記載の撮像機器によれば、上記第１の撮像機器は、上記複数の第２の撮像機器より受信した画像を、上記第１の撮像機器の画像表示手段とは別の表示手段に表示することにより、撮像機器の限られた表示機能の制約を受けることなく、集めた画像を大画面に表示するなどにより共に楽しむことが出来る。
【０２４０】
（２１）  上記画像を送信する側の撮像機器である第２の撮像機器は、上記画像を受信する側の撮像機器である第１の少なくとも２台以上の撮像機器が表示する認証情報を撮像して記憶する手段を更に具備することを特徴とする（１）に記載の撮像機器。
【０２４１】
（実施形態との対応）
図３７（Ａ）及び（Ｂ）が対応する。レンズ部１４、撮像素子７０、撮像処理回路７２、主制御部８０、内蔵メモリ７４、等が上記認証情報を撮像して記憶する手段に対応する。
【０２４２】
（作用効果）
この（２１）に記載の撮像機器によれば、上記第２の撮像機器は、上記第１の少なくとも２台以上の撮像機器が表示する認証情報を撮像して記憶する手段を具備することにより、例えば撮影教室において先生が生徒に手本画像を配信する場合に、個別の生徒への画像送信や生徒全員への同報送信などを簡単にかつ安全に行うことが出来る。
【０２４３】
（２２）  上記第２の撮像機器は、上記第１の少なくとも２台以上の撮像機器が表示した認証情報を取得し、上記取得した認証情報を用いて画像を加工して上記第１の撮像機器に送信することを特徴とする（２１）に記載の撮像機器。
【０２４４】
（実施形態との対応）
図３８が対応する。
【０２４５】
（作用効果）
この（２２）に記載の撮像機器によれば、上記第２の撮像機器は、上記第１の少なくとも２台以上の撮像機器が出力した認証情報を取得し、上記取得した認証情報を用いて画像を加工して上記第１の撮像機器に送信することにより、個別の生徒への画像送信や生徒全員への同報送信などを安全に行うことが出来る。
【０２４６】
（２３）  少なくとも３台以上の撮像機器間で、上記認証情報を交換したのち、取得した認証情報を用いて画像の加工を行うことを特徴とする（１）に記載の撮像機器。
【０２４７】
（実施形態との対応）
図４０が対応する。撮像機器１６８Ａ〜１６８Ｃが上記少なくとも３台以上の撮像機器に対応する。
【０２４８】
（作用効果）
この（２３）に記載の撮像機器によれば、少なくとも３台以上の撮像機器間で、上記認証情報を交換し、取得した認証情報を用いて画像の加工を行って画像の交換を行うことにより、同窓会のようにその場限りで別れてしまう友人たちとお互いに撮影した画像を簡単かつ安全に交換でき、後日交換する場合の煩わしさがない。
【０２４９】
（２４）  上記認証情報は、有効期限を持ち、期限が過ぎると無効とすることを特徴とする（１）に記載の撮像機器。
【０２５０】
（実施形態との対応）
図１７（Ａ）、図１７（Ｃ）、図１８（Ａ）乃至図１９（Ｂ）、図４１が対応する。
【０２５１】
（作用効果）
この（２４）に記載の撮像機器によれば、上記認証情報は、有効期限を持ち、期限が過ぎると無効とすることにより、認証情報を発信した人が意図した範囲を超えた認証情報の使用を防止できる。
【０２５２】
（２５）  相手機器から取得した認証情報を自身のモニタに表示して、指定することにより相手機器に画像を送信できることを特徴とする（１）、（１９）、（２２）、又は（２３）に記載の撮像機器。
【０２５３】
（実施形態との対応）
図４２及び図４３が対応する。モニタ４０が上記モニタに対応する。
【０２５４】
（作用効果）
この（２５）に記載の撮像機器によれば、相手機器から取得した認証情報を自身のモニタに表示して指定することで相手機器に画像を送信できることにより、送信相手の確認と送信手順の簡略化が出来るので、容易でかつ安全な画像の送受信が出来る。
【０２５５】
（２６）  上記相手機器から取得した認証情報を自身のモニタに複数表示して選択することで相手機器に画像を送信できることを特徴とする（２５）に記載の撮像機器。
【０２５６】
（実施形態との対応）
図４３が対応する。
【０２５７】
（作用効果）
この（２６）に記載の撮像機器によれば、相手機器から取得した認証情報を自身のモニタに複数表示して選択することで相手機器に画像を送信できることにより、送信相手の確認と送信手順の簡略化が出来るので、容易でかつ安全な画像の送受信が出来る。
【０２５８】
（２７）  上記画像表示手段は、認証情報出力時には出力を上げることを特徴とする（２）に記載の撮像機器。
【０２５９】
（実施形態との対応）
図４、図６Ｂ、図６Ｃが対応する。
【０２６０】
（作用効果）
この（２７）に記載の撮像機器によれば、上記画像表示手段は、上記認証情報の表示時には出力を上げることにより、モニタ撮影時の周囲の明るさによる反射などの影響を軽減できるので、より確実な認証情報の取得が出来る。
【０２６１】
（２８）  撮像機器間で無線による画像の送受信を行うことが可能な撮像システムにおける上記撮像機器のための認証方法であって、
上記画像を受信する側の撮像機器が上記画像を送信する側の撮像機器の認証を行うための認証情報を表示するステップと、
上記画像を受信する側の撮像機器で表示された上記認証情報を、上記画像を送信する側の撮像機器で撮像するステップと、
上記撮像された上記認証情報を用いて、上記画像を送信する側の撮像機器が、上記画像を受信する側の撮像機器に対して送信する画像の加工を行うステップと、
上記画像を送信する側の撮像機器から送信された画像を、上記画像を受信する側の撮像機器で元の画像に復元するステップと、
を具備することを特徴とする認証方法。
【０２６２】
（実施形態との対応）
図１１、図１２が対応する。
【０２６３】
（作用効果）
この（２８）に記載の撮像機器によれば、画像を受信する側の撮像機器が表示した認証情報を画像を送信する側の撮像機器が直接撮像することにより、無線による画像の送受信が傍受されていても安全に認証情報を取得でき、なおかつ取得した認証情報を用いて上記無線により送受信する画像情報を加工して送信することにより、撮像機器間で安全にかつ容易に画像の交換を行うことができる。
【図面の簡単な説明】
【０２６４】
【図１】本発明の一実施形態に係る撮像機器の一例としてのデジタルカメラの外観構成を示す図である。
【図２】撮像機器の別の例としてのデジタルムービカメラの外観構成を示す斜視図である。
【図３】認証スイッチの機能を説明する図である。
【図４】図１のデジタルカメラの電気的な構成を示すブロック図である。
【図５】カメラ本体に設けられたスイッチ及びボタンの動作対応表を示す図である。
【図６Ａ】撮像機器における状態遷移とプロセスを説明するための一連のフローチャートの第１の部分を示す図である。
【図６Ｂ】撮像機器における状態遷移とプロセスを説明するための一連のフローチャートの第２の部分を示す図である。
【図６Ｃ】撮像機器における状態遷移とプロセスを説明するための一連のフローチャートの第３の部分を示す図である。
【図７】撮像機器よりの画像送信について説明するためのフローチャートを示す図である。
【図８】認証情報の作成メニュー処理を説明するためのフローチャートを示す図である。
【図９】認証情報の表示メニュー処理について説明するためのフローチャートを示す図である。
【図１０】第１の撮像機器が画像を送信する相手の第２の撮像機器から認証情報を取得する手順を説明するためのフローチャートを示す図である。
【図１１】第２の撮像機器がモニタに表示した認証情報を第１の撮像機器が撮影する場合の状態を説明するための図である。
【図１２】撮像機器間での画像の送受信手順を説明するためのフローチャートを示す図である。
【図１３】第１の撮像機器と第２の撮像機器との間での画像の送受信の状態を示す図である。
【図１４】発光表示素子の実装例を示す図である。
【図１５】発光表示器の実装例とその表示例を示す図である。
【図１６】発光表示器の他の実装例とその表示例を示す図である。
【図１７】モニタへの認証情報の表示例を示す図である。
【図１８】カラー表示の場合のモニタへの認証情報の表示例を示す図である。
【図１９】カラー表示の場合のモニタへの認証情報の他の表示例を示す図である。
【図２０】カラー表示の場合のモニタへの認証情報の更に別の表示例を示す図である。
【図２１】認証情報の解析について説明するためのフローチャートを示す図である。
【図２２】動画による連続解析の方法を説明するための、第１の撮像機器のメモリの記憶状態を模式的に示す図である。
【図２３】動画による連続解析の他の方法を説明するための、第１の撮像機器のメモリの記憶状態を模式的に示す図である。
【図２４】画像の加工について説明するためのフローチャートを示す図である。
【図２５】電波通信部及び光通信部の具体例を示す図である。
【図２６】認証情報を秘密鍵に用いる場合を説明するためのフローチャート示す図である。
【図２７】認証情報に公開鍵を用いる場合を説明するためのフローチャートを示す図である。
【図２８】認証情報に、撮像機器が撮像した画像を利用する場合を説明するための図である。
【図２９】複数の静止画を認証情報として表示する場合を説明するための図である。
【図３０】動画撮影状態で認証情報を取得する場合の説明図である。
【図３１】認証情報を共有する場合の認証情報の撮像状態を示す図である。
【図３２】第１の撮像機器が表示する複数の認証情報を、複数の第２の撮像機器が撮像する場合を説明するための図である。
【図３３】複数の第２の撮像機器での認証情報の撮影とそれぞれの認証情報の表示を説明するための図である。
【図３４】第２の撮像機器が送信する場合のフォーマットの例を示す図である。
【図３５】第１の撮像機器が第２の撮像機器から受信した画像を再生して表示する場合の表示例を示す図である。
【図３６】受信画像の他の表示機器への表示を説明するための図である。
【図３７】複数の第１の撮像機器の認証情報の取得状態と、それにより取得した認証情報とを示す図である。
【図３８】第１の撮像機器への送信データフォーマットの例を示す図である。
【図３９】電波を用いた複数の第１の撮像機器への画像送信状態と、受信画像とを示す図である。
【図４０】複数の撮像機器の間で認証情報を交換し、画像を交換する場合を説明するための図である。
【図４１】認証情報に有効期限を含めた場合を説明するためのフローチャートを示す図である。
【図４２】複数の認証情報を表示して送信先を選択する場合の表示例を示す図である。
【図４３】複数の認証情報を表示して送信先を選択する場合の他の表示例を示す図である。
【符号の説明】
【０２６５】
１０…デジタルカメラ、  １２…カメラ本体、  １４…レンズ部、  １６…フラッシュ、  １８，２６…受光素子、  ２０，２４…発光素子、  ２２…マイクロフォン、  ２８…シャッタスイッチ、  ３０…パワースイッチ、  ３２…パワーランプ、  ３４…セレクトスイッチ、  ３６…認証スイッチ、  ３６Ａ…操作部、  ３６Ｂ…普通位置、  ３６Ｃ…認証位置、  ３８…アンテナ、  ４０…モニタ、  ４２…十字スイッチ、  ４４…ＯＫボタン、  ４６…メニューボタン、  ４８…ズームスイッチ、  ５０…消去ボタン、  ５２…プリントボタン、  ５４…発光表示素子、  ５６…発光表示器、  ５８…情報ボタン、  ６０…保護ボタン、  ６２…回転ボタン、  ６４…スピーカ、  ６６…デジタルムービカメラ、  ６８…電源モードスイッチ、  ７０…撮像素子、  ７２…撮像処理回路、  ７４…内蔵メモリ、  ７６…着脱メモリ、  ７８…電波通信部、  ７８Ａ…ベースバンドＩＣ、  ７８Ｂ…無線ＩＣ、  ８０…主制御部、  ８０Ａ…認証情報記憶部、  ８０Ｂ…情報加工部、  ８２…光通信部、  ８２Ａ…ＩｒＤＡコントローラ、  ８２Ｂ…ＩｒＤＡモジュール、  ８４…ズーム制御部、  ８６…露光制御部、  ８８…測距制御部、  ９０…画像処理回路、  ９２…暗号化・復号化回路、  ９４…音声処理部、  ９６…外部インターフェイス、  ９８…バス、  １００…発光部、  １０２…受光部、  １０４…表示制御部、  １０６…電源回路、  １０８…電池、  １１０，１１０Ａ，１１０Ｂ，１１０Ｃ…第１の撮像機器、  １１２，１１２Ａ，１１２Ｂ，１１２Ｃ…第２の撮像機器、  １１４，１１４Ａ，１１４Ｂ，１５２，１５２Ａ，１５２Ｂ，１５２Ｃ，１５２ａ，１５２ｂ，１５２ｃ…認証情報、  １１６…電波、  １１８…光線、  １２０…ＬＥＤ、  １２２，１２２Ａ，１２２Ｂ，１２２Ｃ，１２２Ｄ，１２２Ｅ，１２２Ｆ，１２２Ｇ，１２２Ｈ，１２２Ｉ，１６４Ａ，１６４Ｂ，１６４Ｃ…画像、  １２６…アドレス、  １２８…有効期限、  １３０…暗号化用の情報、  １３２…バーコード、  １３４…カラーバー、  １３６…記号表示領域、  １３８，１３８−１，１３８−３０，１３８Ａ…小領域、  １４０…メモリ、  １４２Ａ，１４２Ｂ，１４２Ｃ…認証情報画像、  １４４…前画像、  １４６…サンプリング画像、  １４８…画像切替部分、  １５０Ａ，１５０Ｂ，１５０Ｃ…ヘッダ、  １５４Ａ，１５４Ｂ，１５４Ｃ…送信画像、  １５６Ａ，１５６Ｂ，１５６Ｃ…受信画像、  １５８Ａ，１５８Ｂ，１５８Ｃ…縮小画像、  １６０…大画面表示装置、  １６２…通信手段、  １６６Ａ，１６６Ｂ，１６６Ｂ…送信データ、  １６８Ａ，１６８Ｂ，１６８Ｃ…撮像機器。
【図１】
2008269486.tif 000003
【図２】
2008269486.tif 000004
【図３】
2008269486.tif 000005
【図４】
2008269486.tif 000006
【図５】
2008269486.tif 000007
【図６Ａ】
2008269486.tif 000008
【図６Ｂ】
2008269486.tif 000009
【図６Ｃ】
2008269486.tif 000010
【図７】
2008269486.tif 000011
【図８】
2008269486.tif 000012
【図９】
2008269486.tif 000013
【図１０】
2008269486.tif 000014
【図１１】
2008269486.tif 000015
【図１２】
2008269486.tif 000016
【図１３】
2008269486.tif 000017
【図１４】
2008269486.tif 000018
【図１５】
2008269486.tif 000019
【図１６】
2008269486.tif 000020
【図１７】
2008269486.tif 000021
【図１８】
2008269486.tif 000022
【図１９】
2008269486.tif 000023
【図２０】
2008269486.tif 000024
【図２１】
2008269486.tif 000025
【図２２】
2008269486.tif 000026
【図２３】
2008269486.tif 000027
【図２４】
2008269486.tif 000028
【図２５】
2008269486.tif 000029
【図２６】
2008269486.tif 000030
【図２７】
2008269486.tif 000031
【図２８】
2008269486.tif 000032
【図２９】
2008269486.tif 000033
【図３０】
2008269486.tif 000034
【図３１】
2008269486.tif 000035
【図３２】
2008269486.tif 000036
【図３３】
2008269486.tif 000037
【図３４】
2008269486.tif 000038
【図３５】
2008269486.tif 000039
【図３６】
2008269486.tif 000040
【図３７】
2008269486.tif 000041
【図３８】
2008269486.tif 000042
【図３９】
2008269486.tif 000043
【図４０】
2008269486.tif 000044
【図４１】
2008269486.tif 000045
【図４２】
2008269486.tif 000046
【図４３】
2008269486.tif 000047